(57)【要約】【課題】階段の意匠性の低下を抑えながら階段利用対象者による段差識別ラインの視認性も確保可能な階段意匠を提案することができる段差意匠設計支援装置、階段及びプログラムを提供することを目的とする。【解決手段】照明装置５から照射された際の照度が最も低い基準踏み面Ｆａの照度を求め、基準踏み面Ｆａの照度と基準踏み面Ｆａの反射率とに基づいて基準踏み面の輝度を規定する輝度規定手段２９と、輝度規定手段２９によって規定された輝度及び階段利用対象者の視覚特性に基づいて、階段利用対象者の視認性を確保可能な段差識別ライン１５の幅Ｌ１と反射率との組み合わせを規定するライン規定手段３０と、を備えている段差意匠設計支援装置２０Ａである。【選択図】図３
2010203222.tif 000002
【特許請求の範囲】
【請求項１】
光源からの照射を受ける１又は複数の踏み面を有する階段の前記踏み面に設けられる段差識別ラインを設計するための段差意匠設計支援装置であって、
前記光源から照射された際の照度が最も低い前記踏み面を基準踏み面として、前記基準踏み面の照度を求め、前記基準踏み面の照度と前記基準踏み面の反射率とに基づいて前記基準踏み面の輝度を規定する輝度規定手段と、
前記輝度規定手段によって規定された前記輝度及び階段利用対象者の視覚特性に基づいて、前記階段利用対象者の視認性を確保可能な前記段差識別ラインの幅と反射率との組み合わせを規定するライン規定手段と、を備えていることを特徴とする段差意匠設計支援装置。
【請求項２】
前記階段は複数の踏み面を有し、
前記輝度規定手段は、複数の前記踏み面のうち、前記光源から最も離れた前記踏み面の照度を前記基準踏み面の照度として求めることを特徴とする請求項１記載の段差意匠設計支援装置。
【請求項３】
前記輝度規定手段は、以下の式（１）に基づいて前記基準踏み面の照度Ｅθを算出することを特徴とする請求項２記載の段差意匠設計支援装置。
【数１】
2010203222.tif 000009
【請求項４】
前記階段利用対象者は視覚特性に応じて複数の種別に分類され、
前記階段利用対象者の種別に基づく複数のコントラスト感度関数を記憶するコントラスト感度関数記憶手段を更に備え、
前記ライン規定手段は、
前記階段の態様情報及び前記光源の照度情報を含む事前情報に基づいて想定される段差識別ラインの幅をパラメータとして規定される空間周波数と、前記基準踏み面の反射率及び前記事前情報から想定される段差識別ラインの反射率をパラメータとして規定されるコントラストから導出されるコントラスト感度とを座標軸とするライン規定座標を設定する座標設定手段と、
前記階段利用対象者の種別を特定し、前記コントラスト感度関数記憶手段に記憶された一または複数のコントラスト感度関数のうち、特定した前記階段利用対象者の種別に基づいて一の前記コントラスト感度関数を特定する関数特定手段と、
前記関数特定手段によって特定された前記コントラスト感度関数を前記座標設定手段によって設定された前記ライン規定座標に適用して、前記階段利用対象者の視認性を確保可能か否かの閾値となる空間周波数とコントラストとの組み合わせを求める演算手段と、
前記演算手段によって求められた前記閾値を基準にして、前記階段利用対象者の視認性を確保可能な前記段差識別ラインの幅と反射率との組み合わせか否かを評価する評価手段とを有することを特徴とする請求項１〜３のいずれか一項記載の段差意匠設計支援装置。
【請求項５】
前記評価手段は、前記座標設定手段によって設定されたライン規定座標を、前記閾値を超える視認性確保不可領域と、前記閾値を超えない視認性確保可能領域とに区分し、さらに、視認性確保可能領域については、前記閾値に近い側から順番に分けた複数の領域に区分し、前記視認性確保不可領域に属する前記空間周波数と前記コントラストとの組み合わせに対応する前記段差識別ラインの幅と反射率との組み合わせは前記階段利用対象者の視認性を確保不可と評価し、前記視認性確保可能領域に属する前記空間周波数と前記コントラストとの組み合わせに対応する前記段差識別ラインの幅と反射率との組み合わせについては、前記閾値から遠い側の領域に属する前記空間周波数と前記コントラストとの組み合わせに対応する前記段差識別ラインの幅と反射率との組み合わせほど、前記階段利用対象者の視認性が高いと評価する、ことを特徴とする請求項４記載の段差意匠設計支援装置。
【請求項６】
前記空間周波数は、以下の式（２）に基づいて定められることを特徴とする請求項４または５記載の段差意匠設計支援装置。
【数２】
2010203222.tif 000010
【請求項７】
前記コントラストは、以下の式（３）に基づいて定められることを特徴とする請求項４〜６のいずれか一項記載の段差意匠設計支援装置。
【数３】
2010203222.tif 000011
【請求項８】
前記輝度規定手段は、
前記光源の照度情報及び前記踏み面の反射率情報を含む事前情報に基づいて前記基準踏み面の照度を算定する照度算定手段と、
前記照度算定手段により算定された照度と前記事前情報に基づいて規定される反射率とに基づいて前記基準踏み面の輝度を算定する輝度算定手段と、
予め段階的に規定された複数の特定輝度と前記輝度算定手段によって規定された輝度とを比較して、一の特定輝度を前記基準踏み面の輝度として規定する特定輝度規定手段と、を有し、
前記ライン規定手段の前記コントラスト感度関数記憶手段には、前記階段利用対象者の種別ごとに、複数の前記特定輝度のそれぞれに関連付けられた前記コントラスト感度関数が記憶され、
前記関数特定手段は、前記コントラスト感度関数記憶手段を参照し、前記階段利用対象者の種別と前記特定輝度規定手段によって規定された特定輝度とに関連付けられた前記コントラスト感度関数を前記一のコントラスト感度関数として特定することを特徴とする請求項４〜７のいずれか一項記載の段差意匠設計支援装置。
【請求項９】
前記ライン規定手段によって規定された前記段差識別ラインの幅と反射率との組み合わせをオペレータに報知する組み合わせ報知手段と、
前記組み合わせ報知手段によって報知された組み合わせのうち、一の組み合わせを選択するためのオペレータの選択操作を受け付ける選択操作受付手段と、
選択操作受付手段で受け付けられた複数の選択操作に基づく複数の組み合わせを累積的に記憶する選択組み合わせ記憶手段と、
前記オペレータの選択操作を受け付ける際に、前記選択組み合わせ記憶手段に記憶された複数の組み合わせを報知する累積組み合わせ報知手段と、を更に備えることを特徴とする請求項１〜８のいずれか一項記載の段差意匠設計支援装置。
【請求項１０】
前記ライン規定手段によって規定された前記段差識別ラインの幅と反射率との組み合わせから特定される前記段差識別ラインに基づいて、前記段差識別ラインと段鼻との間の段鼻面の幅と前記段鼻面の反射率との組み合わせを規定する段鼻規定手段を更に備えることを特徴とする請求項１〜９のいずれか一項記載の段差意匠設計支援装置。
【請求項１１】
前記階段利用対象者の種別に基づく前記段鼻面用の複数のコントラスト感度関数を記憶する段鼻面用コントラスト感度関数記憶手段を更に備え、
前記段鼻規定手段は、
前記階段の態様情報及び前記光源の照度情報を含む事前情報に基づいて想定される前記段鼻面の幅をパラメータとして規定される空間周波数と、前記基準踏み面の反射率及び前記事前情報から想定される前記段鼻面の反射率をパラメータとして規定されるコントラストから導出されるコントラスト感度と、を座標軸とする段鼻面規定座標を設定する段鼻面座標設定手段と、
前記段鼻面用コントラスト感度関数記憶手段に記憶された一または複数の前記段鼻面用コントラスト感度関数のうち、前記階段利用対象者の種別に基づいて一の前記段鼻面用コントラスト感度関数を特定する段鼻面用関数特定手段と、
前記段鼻面用関数特定手段によって特定された前記段鼻面用コントラスト感度関数を前記段鼻面座標設定手段によって設定された前記段鼻面規定座標に適用して、前記階段利用対象者の視認性を確保可能か否かの閾値となる前記段鼻面用の空間周波数とコントラストとの組み合わせを求める段鼻面用演算手段と、
前記段鼻面用演算手段によって求められた閾値を基準にして、前記階段利用対象者の視認性を確保可能な前記段鼻面の幅と反射率との組み合わせか否かを評価する段鼻面用評価手段とを有することを特徴とする請求項１０記載の段差意匠設計支援装置。
【請求項１２】
前記踏み面を歩行する前記階段利用対象者の歩行感に基づいて前記段差識別ラインの仕様を特定するライン仕様特定手段と、
前記ライン仕様特定手段によって特定された前記段差識別ラインの仕様に基づいて、前記ライン規定手段によって規定された前記段差識別ラインの幅と反射率との組み合わせを絞り込む絞込み手段と、
を更に備えていることを特徴とする請求項１に記載の段差意匠設計支援装置。
【請求項１３】
前記ライン仕様特定手段は、
前記踏み面を歩行する前記階段利用対象者の歩行感に基づいて前記踏み面の有効すべり抵抗係数の範囲を特定する有効すべり抵抗係数規定手段と、
前記段差識別ラインを除く前記踏み面のすべり抵抗係数と前記段差識別ラインのすべり抵抗係数との和により示される踏み面の総すべり抵抗係数と、前記抵抗係数規定手段によって規定された有効すべり抵抗係数の範囲とを比較して、前記総すべり抵抗係数が前記有効すべり抵抗係数の範囲内に収まるように前記段差識別ラインのすべり抵抗係数の範囲を算出するすべり抵抗係数算出手段と、
前記すべり抵抗係数算出手段によって算出された前記すべり抵抗係数の範囲に基づいて、前記段差識別ラインの仕様としての前記段差識別ラインの幅の範囲を導出するライン幅導出手段と、
を有することを特徴とする請求項１２に記載の段差意匠設計支援装置。
【請求項１４】
前記有効すべり抵抗係数規定手段は、スリッパを履いて前記踏み面を歩行する前記階段利用対象者の歩行感に基づいて前記踏み面の有効すべり抵抗係数の範囲を特定することを特徴とする請求項１３記載の段差意匠設計支援装置。
【請求項１５】
前記段差識別ラインは、前記段差識別ラインを除く前記踏み面の摩擦抵抗とは異なる摩擦抵抗を有する抵抗形態にて形成され、
前記ライン仕様特定手段は、
前記段差識別ラインの幅に基づいて前記段差識別ラインのすべり抵抗を特定するすべり抵抗関数を、前記段差識別ラインの抵抗形態に応じて複数格納するすべり抵抗関数格納手段を更に有し、
前記ライン幅導出手段は、前記すべり抵抗関数格納手段に格納された複数の前記すべり抵抗関数のうち、前記段差識別ラインの抵抗形態に応じた前記すべり抵抗関数を抽出し、抽出した前記すべり抵抗関数と、前記すべり抵抗係数算出手段により算出された前記すべり抵抗係数の範囲に基づいて前記段差識別ラインの幅の範囲を導出することを特徴とする請求項１４または１５記載の段差意匠設計支援装置。
【請求項１６】
請求項１〜請求項１５に記載の段差意匠設計支援装置によって規定された前記段差識別ラインの幅と反射率との組み合わせの中から特定された前記段差識別ラインを備えることを特徴とする階段。
【請求項１７】
光源からの照射を受ける１又は複数の踏み面を有する階段の前記踏み面に設けられる段差識別ラインを設計するために、前記光源から照射された際の照度が最も低い前記踏み面を基準踏み面として、前記基準踏み面の照度を求め、前記基準踏み面の照度と前記基準踏み面の反射率とに基づいて前記基準踏み面の輝度を規定する輝度規定ステップと、
前記輝度規定手段によって規定された前記輝度及び階段利用対象者の視覚特性に基づいて、前記階段利用対象者の視認性を確保可能な前記段差識別ラインの幅と反射率との組み合わせを規定する段差識別ライン規定ステップと、をコンピュータに実行させることを特徴とするプログラム。
【発明の詳細な説明】
【技術分野】
【０００１】
本発明は、光源からの照射を受ける１又は複数の踏み面を有する階段の踏み面に設けられる段差識別ラインの設計を補助する段差意匠設計支援装置、段差識別ラインを備えた階段または段差意匠設計支援のためのプログラムに関する。
【背景技術】
【０００２】
階段の踏板同士の間などの高低差が生じる段差は階段の上り下りの際に注意が必要であり、その段差の見易さを確保するために、従来から様々な工夫がなされている。例えば特許文献１には、各段部の蹴込みの上部中央に、略長方形状の発光面を有する光源が埋め込まれた照明階段が開示されている。この照明階段では、下段の踏み面が照明器具によって照らされる。その結果、階段利用対象者が階段を下りる際に、少なくともその人が足を運ぼうとしている範囲は明るくなるので、踏板の段鼻部分での視認性の向上を期待できる。
【０００３】
しかしながら、この種の照明階段では、照明（光源部）が蹴込みの上部中央に配置されているため、階段を上る際には階下から階段を見上げる恰好になって輝度の高い光源を直視することとなり、階段利用対象者に強いグレア（眩しさ）を感じさせることになってしまう。一方で、グレア回避のために光源の照度を下げてしまうと、今度は照射面である踏板の両端部への照度が低くなり、これによって階段の段差の視認性が低下してしまい、グレア回避と踏板への照度確保の調整が極めて困難になってくる。
【０００４】
一方で、上記照明階段などに比べて、より簡単な構成で段差の見易さを確保可能に構成した階段は実在する。例えば、滑り防止のために段鼻に滑り止めゴムシートを貼り付け、さらに、そのゴムシートの色を踏み面とはマンセル値が大きく異なるものにすることで、段鼻と踏み面とのコントラストを著しいものとして視認性の向上を図る階段が知られている。この種の階段では、ゴムシートを幅広にすることで、更なる視認性の向上を期待できる。このように、ゴムシートなどのライン状の目印（段差識別ライン）を段鼻の位置に設けた階段によれば、上述の照明階段のような問題は発生せず、また、設備コスト的にも有利である。
【先行技術文献】
【特許文献】
【０００５】
【特許文献１】特開２０００−８２３２４号公報
【発明の概要】
【発明が解決しようとする課題】
【０００６】
段差識別ラインを設けて段差の注意喚起を図ろうとした場合、段差識別ラインの目印としての機能を優先するか、または、階段全体での意匠性を優先するかによって段差識別ラインの選定は異なってくるはずである。しかしながら、段差識別ラインの色や幅などが、どの程度、階段利用対象者の視認性に貢献するのか否かの判断手法も乏しいため、現実には、段差識別ラインの選択などは設計者の経験に依存する傾向が強くなってしまう。その結果として、必要以上に段差識別ラインの色が派手になったり、また、幅が太くなったりしてしまい、段差識別ラインの視認性の向上と階段の意匠性の向上とを両立し得る階段意匠の設計は非常に困難であった。また、段差識別ラインの幅が広ければ視認性が向上するといった単純なものではなく、照度条件や空間条件によっては幅広にすることで却って視認性を低下させてしまう場合もあるために、この様な実情を加味した上で階段の段差の意匠設計を行うことは難しかった。
【０００７】
本発明は、以上の課題を解決することを目的としており、階段の意匠性の低下を抑えながら階段利用対象者による段差識別ラインの視認性も確保可能な階段意匠を提案することができる段差意匠設計支援装置、階段及びプログラムを提供することを目的とする。
【課題を解決するための手段】
【０００８】
本発明は、光源からの照射を受ける１又は複数の踏み面を有する階段の踏み面に設けられる段差識別ラインを設計するための段差意匠設計支援装置であって、光源から照射された際の照度が最も低い踏み面を基準踏み面として、基準踏み面の照度を求め、基準踏み面の照度と基準踏み面の反射率とに基づいて基準踏み面の輝度を規定する輝度規定手段と、輝度規定手段によって規定された輝度及び階段利用対象者の視覚特性に基づいて、階段利用対象者の視認性を確保可能な段差識別ラインの幅と反射率との組み合わせを規定するライン規定手段と、を備えていることを特徴とする。
【０００９】
照度が最も低い踏み面とは、一または複数の踏み面のうち、階段利用対象者にとって最も暗いと評価されることが想定される踏み面であり、例えば、光源から最も離れた踏み面であったり、また、光源の指向性を考慮すれば、光源の照射範囲から外れた位置に配置される踏み面であったりする。このような照度が最も低い踏み面は、階段の形状及び光源の性状やレイアウトなどに基づいて予め決定でき、本発明の輝度規定手段は、照度が最も低い踏み面を基準踏み面として、基準踏み面の照度を求める。一または複数の踏み面の反射率は、予め決まった値を採用できるので、基準踏み面の照度を求めることができれば、その照度と基準踏み面の反射率とに基づいて輝度を求めることができる。さらに、ライン規定手段は、輝度規定手段によって規定された輝度及び階段利用対象者の視覚特性に基づいて、階段利用対象者の視認性を確保可能な段差識別ラインの幅と反射率との組み合わせを規定する。その結果として、ライン規定手段で規定された組み合わせの中から段差意匠を損なわない段差識別ラインの幅と反射率との組み合わせを提案できるようになり、階段の意匠性の低下を抑えながら階段利用対象者による段差識別ラインの視認性も確保可能な階段意匠を提案することができるようになる。
【００１０】
さらに、階段は複数の踏み面を有し、輝度規定手段は、複数の踏み面のうち、光源から最も離れた踏み面の照度を基準踏み面の照度として求めると好適である。光源から最も離れた踏み面は、階段及び光源のレイアウトから簡単に求めることができ、基準踏み面の決定が容易になる。
【００１１】
前記輝度規定手段は、以下の式（１）に基づいて前記基準踏み面の照度Ｅθを算出すると好適である。
【数１】
2010203222.tif 000003
【００１２】
さらに、階段利用対象者は視覚特性に応じて複数の種別に分類され、階段利用対象者の種別に基づく複数のコントラスト感度関数を記憶するコントラスト感度関数記憶手段を更に備え、ライン規定手段は、階段の態様情報及び光源の照度情報を含む事前情報に基づいて想定される段差識別ラインの幅をパラメータとして規定される空間周波数と、基準踏み面の反射率及び事前情報から想定される段差識別ラインの反射率をパラメータとして規定されるコントラスト感度と、を座標軸とするライン規定座標を設定する座標設定手段と、コントラスト感度関数記憶手段に記憶された一または複数のコントラスト感度関数のうち、階段利用対象者の種別に基づいて一のコントラスト感度関数を特定する関数特定手段と、関数特定手段によって特定された特定したコントラスト感度関数を座標設定手段によって設定されたライン規定座標に適用して、階段利用対象者の視認性を確保可能か否かの閾値となる空間周波数とコントラスト感度との組み合わせを求める演算手段と、演算手段によって求められた閾値を基準にして、階段利用対象者の視認性を確保可能な段差識別ラインの幅と反射率との組み合わせか否かを評価して規定する評価手段とを有すると好適である。この構成では、複数の種別に分類された階段利用対象者それぞれの視覚特性に応じたコントラスト感度関数を利用しており、コントラスト感度関数は必要に応じて年齢別または色覚異常の度合いなどに応じて統計的に取得することができるので、階段利用対象者毎の視覚特性に応じて階段利用対象者の視認性を確保可能な段差識別ラインの幅と反射率との組み合わせを的確に規定でき、それらの組み合わせを提案できるようになる。
【００１３】
さらに、空間周波数は、以下の式（２）に基づいて定められると好適である。
【数２】
2010203222.tif 000004
【００１４】
さらに、コントラストは、以下の式（３）に基づいて定められると好適である。
【数３】
2010203222.tif 000005
【００１５】
さらに、輝度規定手段は、光源の照度情報及び踏み面の反射率情報を含む事前情報に基づいて基準踏み面の照度を算定する照度算定手段と、照度算定手段により算定された照度と事前情報に基づいて規定される反射率とに基づいて基準踏み面の輝度を算定する輝度算定手段と、予め段階的に規定された複数の特定輝度と輝度算定手段によって規定された輝度とを比較して、一の特定輝度を基準踏み面の輝度として規定する特定輝度規定手段と、を有し、ライン規定手段のコントラスト感度関数記憶手段には、階段利用対象者の種別ごとに、複数の特定輝度のそれぞれに関連付けられたコントラスト感度関数が記憶され、関数特定手段は、コントラスト感度関数記憶手段を参照し、階段利用対象者の種別と特定輝度規定手段によって規定された特定輝度とに関連付けられたコントラスト感度関数を一のコントラスト感度関数として特定すると好適である。コントラスト感度関数は、照度と反射率とに基づいて算出される輝度に応じて無数に存在することになるが、この全てに対応させるべくコントラスト感度関数を予め記憶しておくのは現実的ではない。一方で、数ｃｄ／ｍ２の輝度の差でコントラスト感度関数が大きく異なる輝度域と、数十〜数百ｃｄ／ｍ２の輝度差であってもコントラスト感度関数が大きくは異ならない輝度域とが存在することは事実である。上記の事象に鑑み、上記構成では、視認性に実質的な影響を及ぼさず、コントラスト感度関数に大きな変化が見られないことが想定される輝度範囲については、まとめて一つの特定輝度を代表値として規定でき、さらに、段階的に複数の特定輝度を規定すると共に、特定輝度毎にコントラスト感度関数を記憶しておくことにより、段差の輝度として想定される全ての輝度に対応するコントラスト感度関数を保持していなくても十分となる。その結果として、予め準備しておくコントラスト感度関数の数を削減することができ、さらに、コントラスト感度関数記憶手段に記憶しておくべきデータの量も軽減でき、処理負担も大幅に低減する。さらに、階段利用対象者の種別に応じて、複数の特定輝度それぞれに対応するコントラスト感度関数を記憶することで、階段利用対象者の種別に応じた階段利用対象者の視認性を確保可能な段差識別ラインの幅と反射率との組み合わせを的確に提案することができる。
【００１６】
さらに、ライン規定手段によって規定された段差識別ラインの幅と反射率との組み合わせをオペレータに報知する組み合わせ報知手段と、組み合わせ報知手段によって報知された組み合わせのうち、一の組み合わせを選択するためのオペレータの選択操作を受け付ける選択操作受付手段と、選択操作受付手段で受け付けられた複数の選択操作に基づく複数の組み合わせを累積的に記憶する選択組み合わせ記憶手段と、オペレータの選択操作を受け付ける際に、選択組み合わせ記憶手段に記憶された複数の組み合わせを報知する累積組み合わせ報知手段と、を更に備えると好適である。この構成では、オペレータに選択された段差識別ラインの幅と反射率との組み合わせが累積的に蓄積される。同様の条件下においてオペレータに選択された回数が多い組み合わせは人気の高い組み合わせということになり、その人気から得た知見を他のオペレータは、自らの選択に生かすことができ、有効な参考材料として利用することができるようになる。
【００１７】
さらに、ライン規定手段によって規定された段差識別ラインの幅と反射率との組み合わせから特定される段差識別ラインに基づいて、段差識別ラインと段鼻との間の段鼻面の幅と段鼻面の反射率との組み合わせを規定する段鼻規定手段を更に備えると好適である。この構成によれば、段鼻規定手段で規定された組み合わせの中から段差意匠を損なわない組み合わせを提案できるようになり、意匠性の低下を抑えながら階段利用対象者の視認性の確保も可能な階段意匠を提案することができるようになる。
【００１８】
さらに、段鼻規定手段を備えた構成においては、階段利用対象者の種別に基づく段鼻面用の複数のコントラスト感度関数を記憶する段鼻面用コントラスト感度関数記憶手段を更に備え、段鼻規定手段は、階段の態様情報及び光源の照度情報を含む事前情報に基づいて想定される段鼻面の幅をパラメータとして規定される空間周波数と、基準踏み面の反射率及び事前情報から想定される段鼻面の反射率をパラメータとして規定されるコントラストから導出されるコントラスト感度と、を座標軸とする段鼻面規定座標を設定する段鼻面座標設定手段と、段鼻面用コントラスト感度関数記憶手段に記憶された一または複数の段鼻面用コントラスト感度関数のうち、階段利用対象者の種別に基づいて一の段鼻面用コントラスト感度関数を特定する段鼻面用関数特定手段と、段鼻面用関数特定手段によって特定された段鼻面用コントラスト感度関数を段鼻面座標設定手段によって設定された段鼻面規定座標に適用して、階段利用対象者の視認性を確保可能か否かの閾値となる段鼻面用の空間周波数とコントラストとの組み合わせを求める段鼻面用演算手段と、段鼻面用演算手段によって求められた閾値を基準にして、階段利用対象者の視認性を確保可能な段鼻面の幅と反射率との組み合わせか否かを評価する段鼻面評価手段とを有すると好適である。
【００１９】
また、本発明は、踏み面を歩行する階段利用対象者の歩行感に基づいて段差識別ラインの仕様を特定するライン仕様特定手段と、ライン仕様特定手段によって特定された段差識別ラインの仕様に基づいて、ライン規定手段によって規定された段差識別ラインの幅と反射率との組み合わせを絞り込む絞込み手段と、を更に備えていると好適である。
【００２０】
上述の如き段差識別ラインの幅と反射率との組み合わせにおいては、場合によってはきわめて多数の幅と反射率との組み合わせが規定されてしまうことがあり、それらの組み合わせの中から一の段差識別ラインの幅と反射率との組み合わせをオペレータが選択して決定することが困難になる場合もある。一方で、本願発明者は、階段の段差の安全な昇降には、階段利用対象者が段差をしっかりと認識できる必要があることはもちろん、階段利用対象者がその段差を歩行する際の歩行感を高めることも重要であることを知見している。そして、本願発明者は、この知見に基づき、視認性の観点から得られる段差識別ラインの幅と反射率との組み合わせに対して、歩行性の観点から得られる段差識別ラインの仕様を反映させることにより、上記のオペレータによる選択・決定を容易にできると考え、上記構成を導出した。すなわち、上記構成では、歩行性の観点から段差識別ラインの仕様を規定できるので、ライン規定手段によって規定された段差識別ラインの幅と反射率との組み合わせを歩行性の観点からさらに絞り込むことができ、オペレータが選択して決定することが容易となり、従って、階段利用対象者にとって、より好適な歩行感を得ることができる階段を提案することが可能となる。
【００２１】
さらに、ライン仕様特定手段は、踏み面を歩行する階段利用対象者の歩行感に基づいて踏み面の有効すべり抵抗係数の範囲を特定する有効すべり抵抗係数規定手段と、段差識別ラインを除く踏み面のすべり抵抗係数と段差識別ラインのすべり抵抗係数との和により示される踏み面の総すべり抵抗係数と、抵抗係数規定手段によって規定された有効すべり抵抗係数の範囲とを比較して、総すべり抵抗係数が有効すべり抵抗係数の範囲内に収まるように段差識別ラインのすべり抵抗係数の範囲を算出するすべり抵抗係数算出手段と、すべり抵抗係数算出手段によって算出されたすべり抵抗係数の範囲に基づいて、段差識別ラインの仕様としての段差識別ラインの幅の範囲を導出するライン幅導出手段と、を有すると好適である。
【００２２】
本願発明者は、階段利用対象者が踏み面を踏み込む際の踏み面のすべり抵抗係数が歩行者の歩行感に影響を及ぼしており、実際に踏み面に接触することとなるスリッパや靴下等の踏込み態様との関係から、最適すべり抵抗係数をピークとした一定幅のすべり抵抗係数（有効すべり抵抗係数の範囲）以下であっても以上であっても良好な歩行感を得難いことを知見している。
また、踏み面のうち、段差識別ライン以外の踏み面のすべり抵抗係数は、踏み面の仕様に深く関わっており、単に歩行感を得るという目的のみのために変更することができない。一方で、段差識別ラインのすべり抵抗係数は、段差識別ラインの形成方法、形成素材、幅等により適宜変更することが可能である。そして、本願発明者は、踏み面の総すべり抵抗係数は、段差識別ライン以外の踏み面のすべり抵抗係数と段差識別ラインのすべり抵抗係数との和によって導出できることに着目し、段差識別ラインのすべり抵抗係数を調整することで、階段利用対象者にとって良好な歩行感となる踏み面のすべり抵抗係数を実現できると考え、上記構成に想到した。
すなわち、上記構成では、階段利用対象者の良好な歩行感を得るために必要な有効すべり抵抗係数の範囲を特定し、さらに、総すべり抵抗係数が有効すべり抵抗係数の範囲内に収まるように段差識別ラインのすべり抵抗係数の範囲を算出する。さらに、算出されたすべり抵抗係数の範囲に基づいて、段差識別ラインの仕様としての段差識別ラインの幅の範囲を導出する。その結果として、段差識別ラインの仕様を段差識別ラインの幅の範囲としてある程度特定することができ、その仕様を形成するための諸条件を上記の段差識別ラインの幅と反射率との組み合わせに反映することができる。従って、階段利用対象者にとっての良好な歩行感を加味して段差識別ラインの幅と反射率との組み合わせの範囲を絞り込むことが容易となる。さらに、上記構成によれば、段差識別ラインのすべり抵抗係数を調整することによって、階段利用対象者にとって良好な歩行感となる踏み面を実現できるので、踏み面全体の仕様を変更することなく良好な歩行感を得ることができる。
【００２３】
さらに、有効すべり抵抗係数規定手段は、スリッパを履いて踏み面を歩行する階段利用対象者の歩行感に基づいて踏み面の有効すべり抵抗係数の範囲を特定すると好適である。スリッパは、室内で簡単に履けるような利便性を重視した履き物であり、脱げやすく、また、すべり易いという特徴を有するため、スリッパを履いて踏み面を歩行する階段利用対象者の歩行感は、素足などの場合に比べて悪くなってしまう。そこで、スリッパを履いて踏み面を歩行する階段利用対象者の歩行感を基準にして踏み面の有効すべり抵抗係数の範囲を特定するようにすれば、その他の態様、例えば、素足の場合や靴下を履いたような場合でも充分に良好な歩行感を確保することができる。
【００２４】
さらに、段差識別ラインは、段差識別ラインを除く踏み面の摩擦抵抗とは異なる摩擦抵抗を有する抵抗形態にて形成され、ライン仕様特定手段は、段差識別ラインの幅に基づいて段差識別ラインのすべり抵抗を特定するすべり抵抗関数を、段差識別ラインの抵抗形態に応じて複数格納するすべり抵抗関数格納手段を更に有し、ライン幅導出手段は、すべり抵抗関数格納手段に格納された複数のすべり抵抗関数のうち、段差識別ラインの抵抗形態に応じたすべり抵抗関数を抽出し、抽出したすべり抵抗関数と、すべり抵抗係数算出手段により算出されたすべり抵抗係数の範囲に基づいて段差識別ラインの幅の範囲を導出すると好適である。
【００２５】
上記構成では、段差識別ラインは、溝状或いは凸条状に形成されたり、また、ゴムなどを溝に埋め込んだり、シールを貼着したりすることで段差識別ラインを除く踏み面の摩擦抵抗とは異なる摩擦抵抗を有する抵抗形態にて形成される。このような抵抗形態で段差識別ラインを形成した場合、各抵抗形態及び段差識別ラインの幅によって段差識別ラインのすべり抵抗係数が変化することを本願発明者は知見している。上記構成では、段差識別ラインの幅に基づいてすべり抵抗係数が特定されるすべり抵抗関数を抵抗形態ごとに予め格納しており、段差識別ラインの抵抗形態に応じたすべり抵抗関数を抽出し、抽出したすべり抵抗関数と、すべり抵抗係数算出手段により算出されたすべり抵抗係数の範囲とに基づいて段差識別ラインの幅の範囲を導出するので、踏み面Ｆの総すべり抵抗係数を良好なのとするための段差識別ラインのすべり抵抗係数を特定するための処理負担が軽減され、段差識別ラインの幅を容易に規定することができる。
【００２６】
また、本発明に係る階段は、上記の段差意匠設計支援装置によって規定された段差識別ラインの幅と反射率との組み合わせの中から特定された段差識別ラインを備えることを特徴とする。本発明によれば、意匠性の低下を抑えながら階段利用対象者の視認性の確保も可能な階段意匠を提案することができるようになる。
【００２７】
また、本発明に係るプログラムは、光源からの照射を受ける１又は複数の踏み面を有する階段の踏み面に設けられる段差識別ラインを設計するために、光源から照射された際の照度が最も低い踏み面を基準踏み面として、基準踏み面の照度を求め、基準踏み面の照度と基準踏み面の反射率とに基づいて基準踏み面の輝度を規定する輝度規定ステップと、輝度規定手段によって規定された輝度及び階段利用対象者の視覚特性に基づいて、階段利用対象者の視認性を確保可能な段差識別ラインの幅と反射率との組み合わせを規定する段差識別ライン規定ステップと、をコンピュータに実行させることを特徴とする。本発明によれば、階段利用対象者の視認性を確保可能な段差識別ラインの幅と反射率との組み合わせを規定するステップで規定された組み合わせの中から段差意匠を損なわない組み合わせを提案できるようになり、意匠性の低下を抑えながら階段利用対象者の視認性の確保も可能な階段意匠を提案することができるようになる。
【発明の効果】
【００２８】
本発明によれば、階段の意匠性の低下を抑えながら階段利用対象者による段差識別ラインの視認性も確保可能な階段意匠を提案することができる。
【図面の簡単な説明】
【００２９】
【図１】階段構造の概略構造を示す図であり、（ａ）は側面図、（ｂ）は正面図である。
【図２】第１実施形態に係る段差意匠設計支援装置にて提案を予定している段差識別ラインを形成した段差部を拡大して示す図であり、（ａ）は斜視図、（ｂ）は平面図である。
【図３】第１実施形態に係る段差意匠設計支援装置の機能的構成を示す図である。
【図４】第１実施形態に係る記憶装置の機能的構成を示す図である。
【図５】コントラスト感度関数データベースに格納されたデータの一例を示す図である。
【図６】ライン規定座標にコントラスト感度関数を適用した状態を表現した図である。
【図７】輝度規定手段の機能的構成を示す図である。
【図８】ライン規定手段の機能的構成を示す図である。
【図９】ライン規定座標に高齢者のコントラスト感度関数を適用した状態を表現した図である。
【図１０】ライン規定座標に若齢者のコントラスト感度関数を適用した状態を表現した図である。
【図１１】第１実施形態に係る段差意匠設計支援装置の動作処理を示すフローチャートである。
【図１２】ディスプレイに表示された一覧表の一例を示す図である。
【図１３】第２実施形態に係る段差意匠設計支援装置にて提案を予定している段鼻面を形成した段差部を拡大して示す図であり、（ａ）は斜視図、（ｂ）は平面図である。
【図１４】第２実施形態に係る段差意匠設計支援装置の機能的構成を示す図である。
【図１５】段鼻規定手段の機能的構成を示す図である。
【図１６】第２実施形態に係る記憶装置の機能的構成を示す図である。
【図１７】第２実施形態に係る段差意匠設計支援装置の動作処理を示すフローチャートである。
【図１８】第３実施形態に係る段差意匠設計支援装置にて提案を予定している段差識別ラインを形成した段差部を拡大して示す図であり、（ａ）は斜視図、（ｂ）は平面図である。
【図１９】図１８のＸＩＸ−ＸＩＸ線に沿った断面に対応しており、（ａ）は第１のライン構造に係る断面図であり、（ｂ）は第２のライン構造に係る断面図であり、（ｃ）は第３のライン構造に係る断面図である。
【図２０】第３実施形態に係る段差意匠設計支援装置の機能的構成を示す図である。
【図２１】第３実施形態に係る記憶装置の機能的構成を示す図である。
【図２２】すべり抵抗関数データベースの一例を示す図である。
【図２３】第３実施形態に係る段差意匠設計支援装置の動作処理を示すフローチャートである。
【図２４】ライン仕様特定処理の動作処理を示すフローチャートである。
【図２５】すべり抵抗試験機の一例を模式的に示す図である。
【図２６】すべり抵抗係数変化量と段差識別ラインの幅との相関関係を示すグラフである。
【図２７】段差歩行評価とすべり抵抗係数との相関関係を示すグラフである。
【図２８】縦軸にコントラスト感度をとり、横軸に空間周波数に代えて段差識別ラインの幅をとった座標において、若齢者のコントラスト感度関数を適用した状態を表現した図である。
【発明を実施するための形態】
【００３０】
以下、本発明の好適な実施形態について図面を参照しながら説明する。図１は、階段構造の概略構造を示す図であり、（ａ）は側面図、（ｂ）は正面図である。また、図２は、段差識別ラインを形成した段差部を拡大して示す斜視図である。図１及び図２を参照して階段構造について説明する。
（第１実施形態）
【００３１】
図１及び図２に示されるように、本発明の実施形態に係る階段構造（階段）１Ａは、互いに対向して配置される一対の立上り壁３，３間に設けられている。また、一方の立上り壁３には、階段を照射する照射装置（光源）５と手摺７とが設けられている。
【００３２】
階段構造１Ａは、１階床面から２階の床面に亘って複数段（本実施形態においては１４段）の段差部９を段状に積み上げて形成されている。段差部９は、上り下りする人間が脚を載せる踏み面Ｆを有する踏み板部１１と、上下の踏み板部１１を連結する蹴込み板部１３とを備えて形成されており、上下の踏み板部１１間の高低差が段差となる。
【００３３】
なお、以下の説明では、一対の立上り壁３間の対面方向が踏み面Ｆの長さ方向Ｄ１であり、踏み面Ｆ上で長さ方向に直交する方向Ｄ２が踏み面Ｆ及び後述の段差識別ライン１５または段鼻面４０の幅方向である。さらに、本実施形態では、鉛直方向を高さ方向と称する。
【００３４】
各段差部９の踏み面Ｆには、踏み面Ｆの長さ方向Ｄ１に沿って延在するライン状の目印（以下、「段差識別ライン」と称する）１５が形成されている。段差識別ライン１５は、踏み板部１１と蹴込み板部１３とが当接して形成される段鼻形成領域のうち、踏み面Ｆの前縁（段鼻）Ｆ１に近接して形成されている。段差識別ライン１５は、微視的には、前縁Ｆ１に沿った、すなわち、前縁Ｆ１に略平行な二本の直線１５ａ，１５ｂによって挟まれた領域によって形成されている。
【００３５】
段差識別ライン１５は、階段構造１Ａを利用する住人や階段構造１Ａが設けられた施設（例えば、病院や養護施設）の訪問者（以下、「階段利用対象者」と称する）に段差の存在を確認（識別）させて注意喚起するための目印であり、段差識別ライン１５には、踏み面Ｆとの間にコントラストが生じるように踏み面Ｆの色とは異なる色が施されている。
【００３６】
踏み面Ｆの色に比べて段差識別ライン１５の色が目立つようにすればするほど、階段利用対象者にとっては段差識別ライン１５を識別し易くなる。また、段差識別ライン１５が細い場合よりも、或る程度太い方が見え易くなり、段差識別ライン１５か否かの判断を行い易くなる。一方で、段差識別ライン１５を、あまりにも派手な色にしたり、また、極端に太くしたりすると、階段意匠全体での意匠性を損なってしまう。さらに、照明装置５での照らされ方によっても段差識別ライン１５の見え方は異なってくる。第１実施形態に係る段差意匠設計支援装置２０Ａは、照明装置５の影響も考慮しながら、階段利用対象者の視認性を確保可能な段差識別ライン１５の幅Ｌ１と反射率との組み合わせを規定し、その組み合わせを階段利用対象者に提案するための装置であり、本実施形態に係る階段構造１Ａには、段差意匠設計支援装置２０Ａによって規定された段差識別ライン１５の幅Ｌ１と反射率との組み合わせの中から特定された段差識別ライン１５が踏み面Ｆに設けられている。
【００３７】
図３に示されるように、段差意匠設計支援装置２０Ａは、汎用のコンピュータと同様、ＣＰＵ、ＲＡＭ及びＲＯＭなどがバスを介してデータの入出力可能に接続された中央処理装置２１と、キーボードやマウスなどの情報を直接入力するための入力装置２３と、中央処理装置２１によって処理された情報を画像によって報知するディスプレイ２４と、ハードディスク等の記憶領域を備える記憶装置２５Ａと、を備えている。
【００３８】
図４に示されるように、記憶装置２５Ａには、事前情報データベース２５ａ、カラー情報データベース２５ｂ、特定輝度情報データベース２５ｃ、コントラスト感度関数データベース２５ｄ及び累積データベース２５ｅが記憶されている。
【００３９】
事前情報データベース２５ａには、階段構造１Ａの形状やレイアウトなどの階段空間や当該階段空間を構成し得る部材の形状や寸法等に基づいて区別された複数種の空間情報が記憶されている。すなわち、事前情報データベース２５ａには、踏み板部１１の踏み面Ｆや蹴込み板部１３の各寸法、階段構造１Ａの側方に設けられる立上り壁３の大きさ等の階段空間を規定する各構成要素や踏み面Ｆの反射率などの階段情報と、当該階段空間に光を当てて照らす照明装置５の照度、照射される光の指向性または設置態様など規定する照明情報と、に分類される。階段情報は、階段の態様情報に相当し、照明情報は、光源の照度情報に相当する。また、本実施形態では、照明装置５が光源の場合を例にして説明するが、窓採光によって照明効果の得られる態様も含まれ、このような態様の場合、照明情報には、窓採光によって得られる照度に関する情報も含まれている。
【００４０】
階段情報については、所定の検索キーを入力することで、特定の階段情報を抽出可能となるようなテーブル形式の階段情報データベース２５ｆとして記憶され、照明情報については、所定の検索キーを入力することで、特定の照明情報を抽出可能となるようなテーブル形式の照明情報データベース２５ｇとして記憶されている。
【００４１】
なお、記憶装置２５Ａには、住宅全体の設計情報を顧客ごとに集約した邸別データベース２５ｈが格納、またはアクセス可能に形成されており、階段情報データベース２５ｆは、邸別データベース２５ｈに関連付けて記憶されており、これによって、邸別データベース２５ｈから顧客の設計に応じた階段情報を引き出すことも可能となっている。同様に、記憶装置２５Ａは、照明の仕様を照明装置５ごとに集約した商品データベース２５ｉを格納、又はアクセス可能に形成されており、照明情報データベース２５ｇは、商品データベース２５ｉに関連付けて記憶されており、これによって、商品データベース２５ｉから顧客の希望する照明の仕様データを引き出すことも可能となっている。
【００４２】
カラー情報データベース２５ｂには、階段空間を形成する各構成が塗装されることが想定される色彩、及びその色調を表す各カラー情報が記憶されており、階段情報データベース２５ｆ及び照明情報データベース２５ｇに関連付けて記憶されている。
【００４３】
本実施形態では、各カラー情報はマンセル表色系にて定義づけられており、各カラー情報は、マンセルバリュー（Ｖ）：明度、マンセルヒュー（Ｈ）：色相、マンセルクロマ（Ｃ）：彩度からなるデータを備えている。マンセルバリュー（Ｖ）すなわち明度と反射率との間には相関関係があり、例えば、明度が１０の場合には、反射率は１００となる。
【００４４】
コントラスト感度関数データベース（コントラスト感度関数記憶手段）２５ｄには、階段利用対象者を年齢または色覚異常の有無や程度など視覚特性に基づいて分類し、分類分けされた種別ごとに統計的な処理によって取得されるコントラスト感度関数が記憶されている。ここで、コントラスト、コントラスト感度及びコントラスト感度関数について説明する。
【００４５】
コントラストとは、一般には、特定の対象と、その背景との視覚的な特徴の差であるが、本実施形態では、コントラストを定量的に扱うために、段差識別ライン１５（特定の対象）の輝度と踏み面Ｆ（その背景）の輝度との比を採用する。なお、コントラストを定量的に扱うために、段差識別ライン１５（特定の対象）の反射率と踏み面Ｆ（その背景）の反射率との比を採用しても良い。
【００４６】
コントラスト感度とは、視覚の空間処理特性を表現するためのものであり、正弦波を刺激として、ある周波数の正弦波刺激の検出に必要なコントラストの閾値を測定し、その逆数をとったものである。また、コントラスト感度関数は、空間周波数に対するコントラスト感度を抽出するために被験者に対して実験を行い、実験結果をプロットすることによって得られる関数である。コントラスト感度関数を利用することで被験者の視認性を確保可能、すなわち、被験者が認識可能な空間周波数とコントラスト感度（コントラストの逆数）との組み合わせを求めることができる。
【００４７】
また、コントラスト感度関数は、被験者へ与える刺激の強弱、すなわち、被験者が視覚で捉えようとする対象物の輝度または反射率によっても異なる。本実施形態では、階段利用対象者の種別として６０歳以上の老齢者と、２５歳前後の若齢者とを採用している。図６に示されるように、例えば、若齢者の場合、輝度が４．５ｃｄ／ｍ２のコントラスト感度関数の方が、輝度が０．４５ｃｄ／ｍ２のコントラスト感度関数よりも空間周波数の全領域においてコントラスト感度は高くなり、同様に、輝度が０．４５ｃｄ／ｍ２の方が、輝度が０．０４５ｃｄ／ｍ２よりもコントラスト感度は高くなる。また、老齢者の場合も同様であり、輝度が高い方がコントラスト感度関数は高くなる。
【００４８】
本実施形態では、若齢者の実験結果を統計的に処理して輝度が０．０４５ｃｄ／ｍ２、０．４５ｃｄ／ｍ２及び４．５ｃｄ／ｍ２の場合それぞれのコントラスト感度関数Ａ−１，Ａ−２，Ａ−３を取得し、また、老齢者の実験結果を統計的に処理して輝度が０．０４５ｃｄ／ｍ２、０．４５ｃｄ／ｍ２及び４．５ｃｄ／ｍ２の場合それぞれのコントラスト感度関数Ｂ−１，Ｂ−２，Ｂ−３を取得している。そして、コントラスト感度関数データベース２５ｄには、老齢者と若齢者という二種類の種別に対応付けて、輝度が０．０４５ｃｄ／ｍ２、０．４５ｃｄ／ｍ２及び４．５ｃｄ／ｍ２の場合それぞれのコントラスト感度関数Ａ−１〜Ａ−３、Ｂ−１〜Ｂ−３をテーブル形式にて記憶している。なお、コントラスト感度関数を取得する種別としては、これらの態様に限定されず、年齢層を更に細かく分類したり、また、色覚異常者の有無や程度に応じて分類したりして種別分けしてもよい。
【００４９】
特定輝度情報データベース２５ｃには、無限に存在するはずの輝度のうち、有限的に特定された一または複数の特定輝度に係る情報が記憶されている。後述するように、輝度規定手段２９によって基準踏み面Ｆａの実質輝度が算定され、算定された実質輝度と階段利用対象者の種別とに応じて必要なコントラスト感度関数が求められる。
【００５０】
ここで、コントラスト感度関数は、上述のように輝度の高低によって変化するため、理想的には全ての輝度に対応したコントラスト感度関数を準備しておく必要がある。しかしながら、輝度は無限に存在すると仮定できるため、その全てに対応したコントラスト感度関数を準備しておくことは不可能であり、現実的ではない。一方で、数ルクスの照度の差がコントラスト感度関数に多大な影響を及ぼすこととなる照度域と、数十〜数百ルクスの照度差であってもコントラスト感度関数にほとんど影響を及ぼさない照度域とが存在する、すなわち輝度は対数できいてくることは事実である（ヴェーバー・フェヒナーの法則）。この事象に鑑み、本実施形態では、視認性に実質的な影響を及ぼさず、コントラスト感度関数に変化が見られないことが想定される輝度範囲については、まとめて一つの特定輝度（すなわち照度）を代表値として規定し、さらに、段階的に複数の特定輝度を規定している。特定輝度情報データベース２５ｃには、それら複数の特定輝度に関する特定輝度情報が記憶されている。その結果として、全ての輝度に対応するコントラスト感度関数をコントラスト感度関数データベース２５ｄにおいて保持していなくても良くなり、コントラスト感度関数データベース２５ｄに記憶しておくべきデータの量も軽減でき、処理負担も大幅に低減する。
【００５１】
なお、本実施形態では、０．０４５ｃｄ／ｍ２、０．４５ｃｄ／ｍ２及び４．５ｃｄ／ｍ２を特定輝度情報として記憶しているが、住宅の階段の設計との観点に鑑みると、当該特定輝度としては、０．２ｃｄ／ｍ２〜５０ｃｄ／ｍ２の範囲のいくつかの数値を採用することが可能である。
【００５２】
図４に示されるように、累積データベース２５ｅは、複数回に亘って後述の組合せ選択手段２６ｅで受け付けられた段差識別ライン１５の幅Ｌ１と反射率（色）の組み合わせ（組合せ情報）を累積的に記憶する。累積データベース２５ｅに累積された組合せ情報の累積記録は、各種情報抽出手段３１で抽出され、報知手段３２を介し、例えばランク形式に加工されてディスプレイ２４に表示される。
【００５３】
図３に示されるように、中央処理装置２１には、段差意匠設計支援用のカラーコーディネートプログラムがインストールされており、当該プログラムを実行させることにより、段差意匠設計支援装置２０Ａとして各機能的構成を有するものになる。カラーコーディネートプログラムは、本実施形態にかかるプログラムである。
【００５４】
中央処理装置２１は、機能的構成として操作受付手段２６、情報認識設定手段２７、事前情報特定手段２８、輝度規定手段２９、ライン規定手段３０、各種情報抽出手段３１及び報知手段３２を備えている。
【００５５】
操作受付手段２６は、オペレータによる操作を受け付けた入力装置２３からの情報入力を受け付ける。操作受付手段２６は、階段空間の形状やレイアウトなどの階段情報が入力される階段情報入力手段２６ａと、当該階段空間に設置される照明装置５の照度、照射される光の指向性または設置態様などの照明情報が入力される照明情報入力手段２６ｂと、階段構造１Ａの踏み面Ｆの希望カラー情報が入力される踏み面カラー情報入力手段２６ｃと、階段構造１Ａを使用することとなる使用者、すなわち、階段利用対象者の種別が、階段利用対象者の視認性に関する情報として入力される視認性情報入力手段２６ｄとを備えている。
【００５６】
また、操作受付手段２６は、組合せ選択手段２６ｅを備える。組合せ選択手段２６ｅは、入力装置２３からの情報入力に伴って、最終的に選択された踏み面Ｆの色及び段差識別ライン１５の幅Ｌ１と色（反射率）とを受け付ける。
【００５７】
情報認識設定手段２７は、階段情報入力手段２６ａに入力された階段情報を認識する階段情報認識手段２７ａと、照明情報入力手段２６ｂに入力された照明情報を認識する照明情報認識手段２７ｂとを備える。階段情報認識手段２７ａで認識された階段情報及び照明情報認識手段２７ｂで認識された照明情報は、事前情報特定手段２８によって所定の階段空間を特定するために用いられる。
【００５８】
さらに、情報認識設定手段２７は、踏み面カラー情報入力手段２６ｃに入力された踏み面カラー情報を認識する踏み面カラー情報認識手段２７ｃと、踏み面カラー情報認識手段２７ｃで認識された踏み面カラー情報に合致する踏み面Ｆを設定する踏み面カラー情報設定手段２７ｅとを備えている。
【００５９】
踏み面カラー情報設定手段２７ｅについて具体的に説明する。記憶装置２５Ａの階段情報データベース２５ｆの踏み面情報とカラー情報データベース２５ｂとは互いに関連付けられて記憶されている。そこで、踏み面カラー情報設定手段２７ｅは、踏み面カラー情報を検索キーに設定してカラー情報データベース２５ｂ及び階段情報データベース２５ｆを参照し、対応する踏み面情報を取得することで踏み面Ｆの設定を行う。この踏み面Ｆの設定とは、踏み面情報に含まれる踏み面Ｆの反射率を設定することを意図している。設定された反射率は、後述の輝度規定手段２９において、基準踏み面Ｆａの輝度を算定する際に用いられる。
【００６０】
さらに、情報認識設定手段２７は、視認性認識手段２７ｅと組合せ認識手段２７ｆとを備える。視認性認識手段２７ｅは、階段利用対象者の種別に関する視認性情報を認識し、認識した階段利用対象者の種別を特定し、特定した種別をライン規定手段３０に入力する。また、組合せ認識手段２７ｆは、組合せ選択手段２６ｅにより受け付けられた組合せ情報を認識し、記憶装置２５Ａの累積データベース２５ｅに格納する。
【００６１】
事前情報特定手段２８は、階段情報認識手段２７ａで認識された階段情報及び照明情報認識手段２７ｂで認識された照明情報を抽出し、抽出した階段情報及び照明情報を検索キーに設定して事前情報データベース２５ａの階段情報データベース２５ｆ及び照明情報データベース２５ｇを参照し、抽出した階段情報及び照明情報に合致する階段空間を特定する。
【００６２】
輝度規定手段２９は、事前情報特定手段２８で特定された階段空間と、踏み面カラー情報設定手段２７ｅによって特定された踏み面情報と、に基づいて、照明装置５から最も離れた踏み面Ｆの輝度を規定する。本実施形態では、照明装置５から最も離れた踏み面Ｆが、照明装置５から照射された際の照度が最も低い踏み面Ｆとして想定しており、この踏み面Ｆが基準踏み面Ｆａである。照度が最も低い踏み面Ｆとは、階段利用対象者にとって最も暗いと評価されることが想定される踏み面Ｆであり、この踏み面Ｆを基準にすることで、他の踏み面Ｆに形成される段差識別ライン１５については階段利用対象者の視認性を確保可能であると期待できる。なお、照明装置５の指向性を考慮して、例えば、照明装置５からの照射範囲から外れた位置に配置される踏み面Ｆを基準踏み面Ｆａとしてもよい。
【００６３】
図７に示されるように、輝度規定手段２９は、事前情報特定手段２８によって特定された事前情報に基づいて、照明装置５から基準踏み面Ｆａに照射される光の照度を算定する照度算定手段２９ａと、照度算定手段２９ａにより算定された照度と事前情報に含まれる反射率とに基づいて基準踏み面Ｆａの輝度を算定する輝度算定手段２９ｂとを備えている。
【００６４】
照度算定手段２９ａでは、以下の式（１）に基づいて実質照度が算定される。さらに、輝度算定手段２９ｂでは、照度算定手段２９ａで算定された実質照度に基準踏み面Ｆａの反射率を乗じて実質輝度が算定される。なお、図１（ａ）には、式（１）の光源中心５ａと基準踏み面Ｆａの段鼻の中心との間の距離を“ｒＭＡＸ”で示し、光源中心５ａを通過する鉛直直線ＶＬと、光源中心５ａと基準踏み面Ｆａの段鼻の中心とを結ぶ直線との間の角度を“θ”で示している。
【００６５】
【数１】
2010203222.tif 000006
【００６６】
また、輝度規定手段２９は、特定輝度規定手段２９ｃを備えている。特定輝度規定手段２９ｃについて詳述する。既に説明したが、輝度は無数に存在するため、無数の輝度に対応する全てのコントラスト感度関数を予め保持しておき、その中から実質輝度に応じた一つのコントラスト感度関数を特定するのはデータの量も莫大となり、また、処理負担も非常に大きくなって現実的ではない。そこで、本実施形態では、無数に存在するはずの輝度を段階的に複数の特定輝度に分けており、特定輝度情報データベース２５ｃには、段階的に分けられた複数の特定輝度に関する特定輝度情報を格納し、また、コントラスト感度関数データベース２５ｄには、特定輝度に対応付けてコントラスト感度関数を格納している。
【００６７】
特定輝度規定手段２９ｃは、特定輝度情報データベース２５ｃを参照し、算定された実質輝度に類する特定輝度を規定する処理を行う。特定輝度規定手段２９ｃによって実質輝度から特定輝度が規定されるので、後述のライン規定手段３０によって特定輝度に対応するコントラスト感度関数が簡単に求められ、結果としてデータの量も軽減でき、処理負担も大幅に低減する。実質輝度に類する特定輝度の規定は、例えば、実質輝度に最も近接し且つ実質輝度よりも大きい第１の特定輝度との差分と、実質輝度に最も近接し且つ実質輝度よりも小さい第２の特定輝度との差分を対数上で比較し、何れか小さい方の特定輝度を実質輝度に類する特定輝度として規定する。なお、実質輝度と比較して、実質輝度に最も近接し且つ実質輝度よりも小さい特定輝度を実質輝度に類する特定輝度として規定することも可能である。
【００６８】
図３及び図８に示されるように、ライン規定手段３０は、情報認識設定手段２７の視認性認識手段２７ｅによって認識された視認性情報に基づいて、階段利用対象者の視認性を確保可能な段差識別ライン１５の幅Ｌ１と反射率との組合せを規定する。ライン規定手段３０は、関数特定手段３０ａ、座標設定手段３０ｂ、演算手段３０ｃ及び評価手段３０ｄを備えている。
【００６９】
ここで、まず、段差識別ライン１５の幅Ｌ１と反射率との組み合わせを規定するための手法について概略説明する。段差識別ライン１５の幅Ｌ１を規定するために、本実施形態では空間周波数（spartial frequency）の概念を利用している。例えば、画像データを色の濃度や輝度などの分布図と考えると、その分布を波として捉えることができる。例えば、正弦波格子に２次元ガウス関数をかけ、無限に続く正弦波格子の一部を滑らかに切り出したガボールパッチを考えたとき、当該正弦波の周期を周波数として捉えたのが、空間周波数であり、空間周波数が低いと明暗の幅は狭くなり、高いと幅は広くなる。この幅が、段差識別ライン１５の幅Ｌ１に対応している。
【００７０】
また、段差識別ライン１５の反射率を規定するために、コントラスト感度（コントラストの逆数）を利用している。本実施形態では、コントラストを定量的に扱うために、段差識別ライン１５（特定の対象）の輝度と踏み面Ｆ（その背景）の輝度との比を採用している。コントラストが特定されれば、踏み面Ｆの輝度は既に規定されているので、段差識別ライン１５の輝度を導出できる。さらに、照明装置５から段差識別ライン１５への照度は、基準踏み面Ｆａの照度から類推して想定でき、想定した照度と段差識別ライン１５の輝度とから段差識別ライン１５の反射率が規定できる。なお、ここでの段差識別ライン１５の反射率とは、具体的には段差識別ライン１５の色を意味する。また、コントラストを段差識別ライン１５の反射率と踏み面Ｆの反射率との比として扱う場合には、コントラストが特定されれば、踏み面Ｆの反射率は既に規定されているので、段差識別ライン１５の反射率を導出できる。
【００７１】
関数特定手段３０ａは、特定輝度規定手段２９ｃによって規定された特定輝度に関連付けられる複数のコントラスト感度関数のうち、視認性認識手段２７ｅにより得られた視認性情報に基づいて一のコントラスト感度関数を特定する。関数特定手段３０ａについて詳述する。
【００７２】
図５に示されるように、記憶装置２５Ａのコントラスト感度関数データベース２５ｄには、特定輝度に関連付けてコントラスト感度関数が記憶されている。関数特定手段３０ａは、特定輝度規定手段２９ｃによって規定された特定輝度を検索キーに設定してコントラスト感度関数データベース２５ｄを参照し、例えば、特定輝度が０．４５ｃｄ／ｍ２の場合には、コントラスト関数Ａ−２及びコントラスト関数Ｂ−２を候補として特定する。さらに、関数特定手段３０ａは、視認性認識手段２７ｅにより得られた視認性情報に基づいて、例えば、高齢者という種別情報を取得した場合には、高齢者に対応するコントラスト感度関数Ｂ−２を、特定輝度に対応するコントラスト感度関数として特定する。
【００７３】
なお、コントラスト感度関数については、いくつかの提案がなされているが、例えば、以下の文献に記載のコントラスト感度関数を採用することができる。
(1) CIE Publication No19/2.1 and No.19/2.2,An analytic model for describing the influence of lighting parameters uponvisual performance(1981).
(2) W.Adrian : Visibility of Targets: Modelfor Caluculation, Ligh. Res. Technol., 21-4, pp.181-188(1989).
また、本実施形態においては、実験等により実測値として得られた図９に示すコントラスト感度関数を採用している。
なお、コントラスト感度関数の測定法としては、例えば、特開２００３−２０４９３６号に開示の技術を用いることも可能である。
【００７４】
座標設定手段３０ｂは、事前情報特定手段２８によって特定された事前情報に基づいて想定される段差識別ライン１５の幅Ｌ１をパラメータとして規定される空間周波数と、基準踏み面Ｆａの反射率及び事前情報特定手段２８によって特定された事前情報から想定される段差識別ライン１５の反射率をパラメータとして規定されるコントラストから導出されるコントラスト感度と、を座標軸とするライン規定座標を設定する。
【００７５】
空間周波数は、以下の式（２）に基づいて定められる。なお、本実施形態では、階段構造１Ａは複数の踏み面Ｆを有するため、基準踏み面Ｆａの奥側とは蹴込み板部１３側を示し、式（２）における「視点から見た段差識別ラインの視野角Ｖａ（degree）」を導出するための“T１”は、図２に示されるように、基準踏み面Ｆａの奥側の後縁Ｆ２から段差識別ライン１５の遠い側の直線１５ｂまでの距離であり、“T２”は、図２に示されるように、基準踏み面Ｆａの奥側の後縁Ｆ２から段差識別ライン１５の近い側の直線１５ａまでの距離である。また、視野角Ｖａ（degree）」を導出するための“Ｍ（視点鉛直方向高さ［ｍ］）”は、標準的な女性の視点高さを想定しており、例えば、Ｍ＝１．５（ｍ）を採用する。
【００７６】
【数２】
2010203222.tif 000007
【００７７】
また、コントラストは、以下の式（３）に基づいて定められる。
【００７８】
【数３】
2010203222.tif 000008
【００７９】
演算手段３０ｃは、関数特定手段３０ａによって特定されたコントラスト感度関数を座標設定手段３０ｂによって設定されたライン規定座標に適用して、当該座標上にコントラスト感度曲線を形成し、視認可否の閾値となる空間周波数とコントラストの組合せを演算する。
【００８０】
演算手段３０ｃによる処理について図６を参照して具体的に説明する。図６は、高齢者及び若齢者それぞれの、各特定輝度に対応するコントラスト感度関数をライン規定座標に適用した場合を例示する図である。例えば、種別が若齢者で、特定輝度が０．０４５ｃｄ／ｍ２に対応するコントラスト感度関数Ａ―１を適用した場合には、空間周波数が“０．６”に対してコントラスト感度が“７．５５”、空間周波数が“１”に対してコントラスト感度が“７．９”空間周波数が“２”に対してコントラスト感度が“４．３”などの組み合わせが若齢者にとっての視認性可否の閾値となる空間周波数とコントラストの組合せとして求まる。
【００８１】
図８に示されるように、評価手段３０ｄは、演算手段３０ｃによって求められた閾値となる組み合わせを基準にして、階段利用対象者の視認性を確保可能な段差識別ライン１５の幅Ｌ１と反射率との組み合わせか否かを評価する。
【００８２】
具体的には、図９及び図１０に示されるように、ライン規定座標に適用されたコントラスト感度関数としての曲線（閾値）を超える領域、すなわち、閾値よりも上方に位置する座標（空間周波数とコントラストの組合せ）領域を視認性確保不可領域、閾値を超えない領域、すなわち閾値よりも下方（閾値を含む）に位置する座標（空間周波数とコントラストの組合せ）領域を視認性確保可能領域として区分する。さらに、評価手段３０ｄは、視認性確保可能領域に関して、予め設定されている条件、例えば、閾値からのコントラスト感度の差などに基づいて閾値に近い側から順番に複数の領域に区分し、閾値に近接する領域（閾値含む）を「ボーダー領域」、閾値から最も離れた領域を「よく見える領域」及び「ボーダー領域」と「よく見える領域」との間の領域を「見える領域」として区分する。
【００８３】
なお、図９は、ライン規定座標に高齢者の場合のコントラスト感度関数を適用した場合を示す図であり、（ａ）は、特定輝度が０．０４５ｃｄ／ｍ２の場合であり、（ｂ）は、特定輝度が０．４５ｃｄ／ｍ２の場合であり、（ｂ）は、特定輝度が４．５ｃｄ／ｍ２の場合である。また、図１０は、ライン規定座標に若齢者の場合のコントラスト感度関数を適用した場合を示す図であり、（ａ）は、特定輝度が０．０４５ｃｄ／ｍ２の場合であり、（ｂ）は、特定輝度が０．４５ｃｄ／ｍ２の場合であり、（ｂ）は、特定輝度が４．５ｃｄ／ｍ２の場合である。
【００８４】
評価手段３０ｄは、ライン規定座標に階段利用対象者の種別に応じたコントラスト感度関数を適用し、さらに、上記の各領域に区分することで、階段利用対象者の視認性を確保可能な段差識別ラインの幅と反射率との組み合わせか否かを評価して規定する。すなわち、視認性確保不可領域に属する空間周波数とコントラスト感度との組み合わせに対応する段差識別ライン１５の幅Ｌ１と反射率との組み合わせについては「視認性低い（×）」と規定する。また、ボーダー領域に属する空間周波数とコントラスト感度との組み合わせに対応する段差識別ライン１５の幅Ｌ１と反射率との組み合わせについては「視認性が充分には高くない（△）」と規定する。また、見える領域に属する空間周波数とコントラスト感度との組み合わせに対応する段差識別ライン１５の幅Ｌ１と反射率との組み合わせについては「視認性充分高い（○）」と規定する。また、よく見える領域に属する空間周波数とコントラスト感度との組み合わせに対応する段差識別ライン１５の幅Ｌ１と反射率との組み合わせについては「視認性非常に高い（◎）」と規定する。このように、本実施形態では、閾値から遠い側の領域に属する空間周波数とコントラスト感度（コントラスト）との組み合わせに対応する段差識別ライン１５の幅Ｌ１と反射率との組み合わせほど、階段利用対象者の視認性が高いと評価する。
【００８５】
また、図３に示されるように、段差意匠設計支援装置２０Ａの各種情報抽出手段３１は、事前情報特定手段２８によって特定された事前情報及び踏み面カラー情報設定手段２７ｅによって特定された階段空間の各情報を、事前情報データベース２５ａの階段情報データベース２５ｆ及び照明情報データベース２５ｇから夫々抽出し、抽出した情報を報知手段３２の出力制御手段３２ａに送る。
【００８６】
報知手段３２は、出力制御手段３２ａと表示制御手段３２ｂとを備えている。出力制御手段３２ａは、ライン規定手段３０の評価手段３０ｄで規定された評価内容を抽出し、ディスプレイ２４に画像表示させる一覧表Ｔとして加工する。この一覧表Ｔは、例えば、図１２に示されるように段差識別ライン１５の反射率に対応するマンセルバリューおよび段差識別ライン１５の幅Ｌ１を段階に分けて複数に区分し、区分されたマンセルバリューと段差識別ライン１５の幅Ｌ１との組み合わせの評価結果を「×」、「△」、「○」、「◎」として示している。表示制御手段３２ｂは、出力制御手段３２ａによって加工された一覧表Ｔをディスプレイ２４に表示させるための動作制御を実行する。
【００８７】
ディスプレイ２４には、操作者となるオペレータに各種情報を報知するための画像が表示され、例えば、評価表に係る画像や、累積データベース２５ｅに記憶された累積記録をランク形式に加工した画像などが表示される。
【００８８】
本実施形態に係る階段構造１Ａは、段差意匠設計支援装置２０Ａによって規定された段差識別ライン１５の幅Ｌ１と反射率との組み合わせの中から、組合せ選択手段２６ｅで最終的に受け付けられた踏み面Ｆの色及び段差識別ライン１５の幅Ｌ１と色（反射率）とに基づいて特定された段差識別ライン１５を備えている。
（段差意匠設計支援方法）
【００８９】
次に、図１１を参照して段差意匠設計支援装置２０Ａにおいて実行される段差意匠設計支援方法の動作手順について説明する。図１１は、段差意匠設計支援装置２０Ａにおいて実行される処理の動作手順を示すフローチャートである。
【００９０】
段差意匠設計支援装置２０Ａでは、階段の意匠設計を希望する施主や、施主から依頼を受けた設計者や営業者等の操作を行うオペレータによる階段情報及び証明情報の入力を受け付ける（ステップＳ１，Ｓ２）。例えば、オペレータは、階段情報として、階段の幅、高さ、段数、段差部９を形成する踏み面Ｆの長さ、蹴込みの高さ、及び照明の取付位置を階段情報として入力すると共に、照明情報として照明装置５に使用される電球や蛍光灯などの種類、光束等を入力装置２３を利用して入力する。中央処理装置２１では、入力装置２３から入力された情報を操作受付手段２６が受け付け、さらに、その情報を情報認識設定手段２７が認識する。
【００９１】
次に、事前情報特定手段２８が機能し、記憶装置２５Ａに記憶された階段情報データベース２５ｆ及び照明情報データベース２５ｇを参照し、入力された階段情報及び照明情報に合致する階段空間を認識し、事前情報として特定する（ステップＳ３）。なお、事前情報には、基準踏み面Ｆａを特定するための各種情報、照明装置５の照度などが含まれる。
【００９２】
次に、中央処理装置２１の操作受付手段２６は、オペレータによって入力された踏み面カラー情報を受け付ける（ステップＳ４）。踏み面カラー情報の入力は、所望のカラー名を入力することによって行うことも可能であるが、本実施形態においては、記憶装置２５Ａに記憶されたカラー情報データベース２５ｂの一覧をディスプレイ２４の表示画面に表示させ、その一欄のうちから一のカラーをオペレータに選択させる。操作受付手段２６は、踏み面カラー情報の入力を受け付け、さらに、情報認識設定手段２７は、踏み面カラー情報を認識する。さらに、情報認識設定手段２７では、記憶装置２５Ａに記憶された階段情報データベース２５ｆ及びカラー情報データベース２５ｂを参照し、選択された踏み面カラー情報に合致する踏み面カラー情報を特定する（ステップＳ５）。踏み面カラー情報は、踏み面Ｆの色彩に係る情報であり、踏み面Ｆの反射率に相当する。
【００９３】
次に、輝度規定手段２９が機能し、特定された事前情報及び踏み面カラー情報に基づいて、基準踏み面Ｆａの照度を算定し、算定された照度に基づいて輝度を算定する（ステップＳ６、Ｓ７）。ステップＳ６及びステップＳ７は、輝度規定ステップに相当する。なお、本実施形態では、特定された事前情報に基づいて実質照度を算出し、その後、特定された踏み面カラー情報から得られる踏み面Ｆの反射率と算出した実質照度とに基づいて実質輝度を算出している。さらに、輝度規定手段２９は、算出した実質輝度と記憶装置２５Ａに記憶された特定輝度情報データベース２５ｃとを対比し、実質輝度に類する（合致又は近似する）特定輝度情報を規定する。
【００９４】
ステップＳ３及びステップＳ５によって特定された事前情報及び踏み面カラー情報は、各種情報抽出手段３１で抽出されて報知手段３２に通知される。また、輝度規定手段２９によって規定された特定輝度情報についても、各種情報抽出手段３１で抽出されて報知手段３２に通知される。報知手段３２に通知された情報に基づき、ディスプレイ２４には、事前情報に合致し、且つ、踏み面カラー情報に合致する階段空間の各種情報や特定輝度情報がディスプレイ２４に表示される。この各種情報は、数値として示されると共に、報知制御手段により加工されたイメージ画像として表示される。オペレータは、ディスプレイ２４に表示された各種情報と、その結果としての階段空間のイメージを確認することができる。さらに、オペレータは、各種情報及びイメージに基づいて階段情報、照明情報、及び踏み面カラー情報を変更入力することにより、適宜階段空間のイメージを変更することができる。階段空間のイメージの変更は、入力装置２３を介して階段空間の構成要素を適宜変更することも可能であるが、階段情報データベース２５ｆにテーブル形式で格納された一連の階段情報を一括して変更することももちろん可能である。照明情報についても同様である。
【００９５】
規定された特定輝度情報が所望の輝度では無い場合、または、輝度算出の基礎となる階段情報や照明情報を変更したい場合には、オペレータは、入力装置２３を操作し、既に入力したデータをリセットして新たな情報を入力する。中央処理装置２１は、オペレータによるリセット操作を受け付けると、ステップＳ１に戻り（ステップＳ８）、新たな情報の入力を受け付ける。なお、照明情報や踏み面カラー情報のみを変更する場合には、ステップＳ２またはステップＳ４に戻る。また、中央処理装置２１は、オペレータによる視認性情報の入力を受け付けると特定輝度情報が所望の輝度であると判断し、後述の処理を実行する。
【００９６】
オペレータは、入力装置２３を操作して視認性情報を入力する。例えば、視認性情報として、階段利用対象者の年代層、色覚異常の有無や程度等が視認性情報として入力される。視認性情報入力部で視認性情報を受け付けると（ステップＳ９）、情報認識設定手段２７の視認性認識手段２７ｅは、視認性情報入力手段２６ｄで受け付けられた視認性情報に基づいて階段利用対象者の種別を認識する。例えば、本実施形態では、階段利用対象者の種別を老齢者と若齢者の二つに分類するのみであるため、階段を利用する者の中に高齢者がいる場合には、当該高齢者の存在を入力し、これによって階段利用対象者の種別は老齢者と認識し、それ以外の場合には若齢者と認識する。
【００９７】
次に、ライン規定手段３０の関数特定手段３０ａが機能し、視認性認識手段２７ｅで認識された種別と輝度規定手段２９で規定された特定輝度とに基づき、記憶装置２５Ａのコントラスト感度関数データベース２５ｄを参照して、対応するコントラスト感度関数を特定する（ステップＳ１０）。
【００９８】
次に、ライン規定手段３０の座標設定手段３０ｂが機能し、ステップＳ３で特定された事前情報に基づいて想定される段差識別ライン１５の幅Ｌ１をパラメータとする空間周波数を規定する。さらに、座標設定手段３０ｂは、ステップＳ５で特定された踏み面カラー情報に基づいて、踏み面Ｆの反射率を抽出し、さらに差識別ラインの反射率として想定される反射率を特定し、踏み面Ｆの反射率と段差識別ライン１５の反射率とをパラメータとするコントラスト感度（コントラストの逆数）を規定する。そして、座標設定手段３０ｂは、空間周波数を横軸とすると共に、コントラスト感度を縦軸としてライン規定座標を設定する（ステップＳ１１）。
【００９９】
次に、ライン規定手段３０の演算手段３０ｃが機能し、座標設定手段３０ｂによって設定されたライン規定座標に、関数特定手段３０ａによって特定されたコントラスト感度関数を適用する演算処理が実行される（ステップＳ１２）。具体的には、ライン規定座標上に、コントラスト感度関数の曲線を形成する。ライン規定座標上にコントラスト感度関数の曲線を形成することは、階段利用対象者の視認性を確保可能か否かの閾値となる空間周波数とコントラスト感度との組み合わせを求めることを意味する。
【０１００】
次に、ライン規定手段３０の評価手段３０ｄが機能し、演算手段３０ｃによって求められた閾値を基準にして、階段利用対象者の視認性を確保可能な段差識別ライン１５の幅Ｌ１と反射率との組み合わせか否かを評価する評価処理が実行される（ステップＳ１２）。ステップＳ１０〜ステップＳ１２は、段差識別ライン規定ステップに相当する。
【０１０１】
図９及び図１０に示されるように、ライン規定座標は、境界となる曲線を当該ライン規定座標上にて形成するコントラスト感度曲線を基準にして階段利用対象者の視認性確保不可領域と視認性確保可能領域とに区分されている。さらに、視認性確保可能領域は、ボーダー領域、見える領域及びよく見える領域に区分されている。評価手段３０ｄは、空間周波数とコントラスト感度との組み合わせが、どの領域に属するかを判断し、空間周波数とコントラスト感度との組み合わせが属する領域によって、その空間周波数とコントラスト感度とに対応する段差識別ライン１５の幅Ｌ１と反射率との組み合わせを評価する。例えば、空間周波数とコントラスト感度と組み合わせが、視認性確保不可領域に属する場合には、その空間周波数とコントラスト感度とに対応する段差識別ライン１５の幅Ｌ１と反射率との組み合わせは「視認性低い（×）」と評価する。また、視認性確保可能領域のボーダー領域に属する場合には、その空間周波数とコントラスト感度とに対応する段差識別ライン１５の幅Ｌ１と反射率との組み合わせは「視認性が充分には高くない（△）」と評価し、見える領域に属する場合には、「視認性充分高い（○）」と評価し、よく見える領域に属する場合には、「視認性非常に高い（◎）」と評価する。
【０１０２】
ここで、各領域の領域分けについて詳述すると、本実施形態においては、コントラスト感度曲線上にある座標（Ｘ，Ｙ）に対し、空間周波数を同じくした場合の各座標（Ｘ，ｙ）のうちのコントラストの値“ｙ”がコントラスト感度曲線上のコントラスト感度の値“Ｙ”の何倍となるか（ｙ＝α×Ｙとし、当該αを閾値倍率と称する）によって領域を分けることとしている。上記の図９や図１０で示す具体例においては、閾値倍率αが１／２００倍以下となる領域を視認性が高くて段差が非常に良く見える領域、すなわち視認性非常に高い領域（◎）とし、閾値倍率αが１／２００倍以上、１／６０倍未満となる領域をよく見える領域、すなわち視認性充分高い領域（○）とし、閾値倍率αが１／６０倍以上、１／１倍未満の領域は、選択を避けるもしくは別途足元照明等によるケアが必要な領域、すなわち視認性が充分には高くない領域（△）と評価する。一方で、閾値倍率が１／１倍より大きな領域は、コントラスト感度は階段利用対象者にとって視認できない領域、すなわち視認性低い領域（×）として評価する。
【０１０３】
また、閾値倍率αが、１／１倍となるコントラスト感度曲線上の評価については、当該曲線上の座標は視認できるか否かの境であることに鑑み、適宜「△」又は「×」として評価することができるが、本実施形態では、「×」と評価している。従って、本実施形態に係る階段利用対象者の視認性確保不可領域は、閾値倍率αが１／１倍以上の領域を示している。
なお、上記閾値倍率の各値は実験的に算出された値を用いているため、一例であって、別の倍率を用いることも可能である。
【０１０４】
評価手段３０ｄによる評価結果は、各種情報抽出手段３１によって抽出され、報知手段３２の出力制御手段３２ａに通知される。出力制御手段３２ａは、評価結果を一覧表Ｔとして加工し、表示制御手段３２ｂを介してディスプレイ２４に表示させる（ステップＳ１３）。図１２は、ディスプレイ２４に表示された評価結果の一覧表Ｔを例示する図である。図１２は、特定輝度の代わりに照明装置５から基準踏み面Ｆａに照射される光の照度を示し、この照度が２５０ＬＸの場合を例示しており、また、段差識別ライン１５の反射率の代わりに段差識別ライン１５のマンセルバリュー（明度）を用いて評価結果を示している。図１２に示されるように、例えば、段差識別ライン１５のマンセルバリューが“８”となるカラーを段差識別ライン１５の色として採用する場合には、段差識別ライン１５の幅Ｌ１は、３（ｍｍ）〜１０（ｍｍ）の範囲では、階段利用対象者にとって視認性が非常に高いことを示す「◎」であるが、幅Ｌ１が１（ｍｍ）または２（ｍｍ）の場合には、階段利用対象者にとって視認性が充分に高いことを示す「○」であり、さらに、幅Ｌ１が０．５（ｍｍ）の場合には、視認性が充分には高くないことを示す「×」になっている。
【０１０５】
オペレータは、ディスプレイ２４に表示された一覧表Ｔを参照することにより、想定した階段空間、選定した踏み面カラーに対し、階段利用対象者の視認性を加味した上で選択可能な段差識別ライン１５の幅Ｌ１と反射率（色）の一覧を把握することができる。さらに、オペレータは、一覧表Ｔの中から、段差識別ライン１５の幅Ｌ１とマンセルバリュー（反射率に対応）との組み合わせを選択し、入力装置２３を選択操作して選択組み合わせに係る情報を中央処理装置２１の操作受付手段２６に選択入力する。
【０１０６】
操作受付手段２６の組合せ選択手段２６ｅは、入力装置２３を介して入力された選択組み合わせに係る情報を受け付け、さらに、情報認識設定手段２７の組合せ認識手段２７ｆは、組合せ選択手段２６ｅで受け付けられた情報に基づいて、段差識別ライン１５の幅Ｌ１と反射率との組み合わせを認識する（ステップＳ１４）。
【０１０７】
さらに、組合せ認識手段２７ｆは、記憶装置２５Ａに記憶された累積データベース２５ｅに段差識別ライン１５の幅Ｌ１と反射率との組み合わせに係る情報を書き込む。この書き込み処理は、オペレータによって段差識別ライン１５の幅Ｌ１と反射率との組み合わせの選択操作が行われ、選択操作に係る情報が操作受付手段２６で受け付けられる度に実行される。その結果として、累積データベース２５ｅには、選択操作受付手段２６で受け付けられた複数の選択操作に基づく複数の組み合わせが累積的に記憶される（ステップＳ１４）。
【０１０８】
累積データベース２５ｅに記憶された複数の組み合わせに係る情報は、次回以降のオペレータの選択操作を受け付ける際に各種情報抽出手段３１によって読み出され、報知出段の出力制御手段３２ａに通知される。出力制御手段３２ａは、表示制御手段３２ｂを介して、前述の一覧表Ｔと合わせて、複数の組み合わせに係る情報をディスプレイ２４に表示させる。オペレータは、段差識別ライン１５の幅Ｌ１とマンセルバリュー（明度）の組合せを選択する際に、複数の組み合わせに係る情報を通じて、人気のある段差識別ライン１５の幅Ｌ１とマンセルバリュー（明度）の組み合せはどれかということも把握でき、それらの情報を把握した上で好みの段差識別ライン１５の幅Ｌ１とマンセルバリュー（明度）の組み合せを選択できるようになる。
【０１０９】
次に、オペレータから処理を終了する旨の指示が入力装置２３を介して中央処理装置２１に入力された場合または所定の時間が経過した場合には、終了認識と判断して処理を終了し（ステップＳ１５）、オペレータから再処理の入力があった場合には、ステップＳ１〜ステップＳ１４の処理が実行される。
【０１１０】
第１実施形態に係る段差意匠設計支援装置２０Ａ及び階段構造１Ａによれば、階段構造１Ａの意匠性の低下を抑えながら階段利用対象者による段差識別ライン１５の視認性も確保可能な階段意匠を提案することができるようになる。
【０１１１】
さらに、本実施形態では、複数の踏み面Ｆのうち、照明装置５から最も離れた踏み面Ｆを基準踏み面Ｆａとして採用するので、階段空間及び照明装置５のレイアウトから基準踏み面Ｆａを簡単に特定でき、基準踏み面Ｆａの決定が容易になる。
【０１１２】
さらに、本実施形態では、複数の種別（例えば二種）に分類された階段利用対象者それぞれの視覚特性に応じた相関関係としてコントラスト感度関数を利用しており、コントラスト感度関数は必要に応じて年齢別または色覚異常の度合いなどに応じて統計的に取得することができるので、階段利用対象者毎の視覚特性に応じて階段利用対象者の視認性を確保可能な段差識別ライン１５の幅と反射率との組み合わせを的確に規定でき、それらの組み合わせを提案できるようになる。
【０１１３】
本実施形態では、オペレータに選択された段差識別ライン１５の幅Ｌ１と反射率との組み合わせが累積的に蓄積され、蓄積された組み合わせに係る情報は、オペレータの選択操作を受け付ける際に、報知手段３２によってディスプレイ２４から出力され、オペレータに対して報知される。同様の条件下においてオペレータに選択された回数が多い組み合わせは人気の高い組み合わせということになり、その人気から得た知見を他のオペレータは、自らの選択に生かすことができ、有効な参考材料として利用することができるようになる。
（第２実施形態）
【０１１４】
次に、図１３〜図１７を参照して、本発明の第２実施形態に係る段差意匠設計支援装置について説明する。まず、図１３を参照して、本発明の実施形態に係る段差意匠設計支援装置によって提案を予定している階段構造について説明する。図１３は、階段構造における一つの段差部を拡大して示す斜視図である。
【０１１５】
この階段構造（階段）１Ｂは、実質的に第１実施形態にて説明した階段構造１Ａと同様であるため、階段構造の同一の要素や構造については、上述の階段構造１Ａと同一の符号を付して詳細説明は省略する。
【０１１６】
各段差部９の踏み面Ｆには、踏み面Ｆの長さ方向Ｄ１に沿って延在する段差識別ライン１５が形成されている。段差識別ライン１５は、踏み板部１１と蹴込み板部１３とが当接して形成される段鼻形成領域のうち、踏み面Ｆの前縁（段鼻）Ｆ１よりも内側に入り込んだ位置に形成されており、段差識別ライン１５と前縁Ｆ１との間が段鼻面４０となっている。
【０１１７】
本実施形態に係る段差意匠設計支援装置２０Ｂは、第１実施形態に係る段差意匠設計支援装置２０Ａと同様に基準踏み面Ｆａとの対比において段差識別ライン１５の幅Ｌ１と反射率との組み合わせを規定し、さらに、規定された段差識別ライン１５との対比において段鼻面４０の幅Ｌ２と反射率とを規定する。すなわち、本実施形態に係る段差意匠設計支援装置２０Ｂは、第１実施形態に係る段差意匠設計支援装置２０Ａと同様の動作処理を実行した上で、さらに、段鼻面４０の幅Ｌ２と反射率とを規定する動作処理を実行するものであり、実質的に第１実施形態に係る段差意匠設計支援装置２０Ａと同様の機能的構成を備えている。従って、第１実施形態と同様の機能的構成については、詳細な説明は省略し、相違点を中心に説明する。
【０１１８】
段差意匠設計支援装置２０Ｂは、入力装置２２、中央処理装置２１、ディスプレイ２４及び記憶装置２５Ｂを備えている。
【０１１９】
記憶装置２５Ｂには、事前情報データベース２５ａ、カラー情報データベース２５ｂ、特定輝度情報データベース２５ｃ、コントラスト感度関数データベース２５ｄ、累積データベース２５ｅが記憶され、さらに、事前情報データベース２５ａに関連付けられて邸別データベース２５ｈ及び商品データベース２５ｉが記憶されている。
【０１２０】
記憶装置２５Ｂには、さらに段鼻面用コントラスト感度関数データベース２５ｆ（段鼻面用コントラスト感度関数記憶手段）が記憶されている。段鼻面用コントラスト感度関数データベース２５ｆには、人間を年齢や色覚異常の有無や程度に分けて分類し、分類分けされた種別ごとに統計的な処理によって取得された段鼻面用のコントラスト感度関数が記憶されている。例えば、老齢者と若齢者との二つの種別に対応付けられ、さらに、複数の特定輝度に対応付けられた複数の段鼻面用のコントラスト感度関数が段鼻面用コントラスト感度関数データベース２５ｆに記憶されている。
【０１２１】
図１４に示されるように、中央処理装置２１は、操作受付手段２６、情報認識設定手段２７、事前情報特定手段２８、輝度規定手段２９、ライン規定手段３０、各種情報抽出手段３１及び報知手段３２を備えている。さらに本実施形態に係る中央処理装置２１は、段鼻規定手段（段鼻面規定手段）４１を備えている。
【０１２２】
図１５に示されるように、段鼻規定手段４１は、事前情報特定手段２８によって特定された事前情報に基づいて想定される段鼻面４０の幅Ｌ２をパラメータとして規定される空間周波数と、事前情報特定手段によって特定された事前情報に基づいて想定される段鼻面４０の反射率と基準踏み面Ｆａの反射率をパラメータとして規定されるコントラストから導出されるコントラスト感度と、を座標軸とする段鼻面規定座標を設定する段鼻面座標設定手段４１ｂを備える。
【０１２３】
さらに、段鼻規定手段４１は、段鼻面用コントラスト感度関数データベース２５ｆに記憶された一または複数の段鼻面用コントラスト感度関数のうち、階段利用対象者の種別に基づいて一の段鼻面用コントラスト感度関数を特定する段鼻面用関数特定手段４１ａと、段鼻面用関数特定手段４１ａによって特定された段鼻面用コントラスト感度関数を段鼻面座標設定手段４１ｂによって設定された段鼻面規定座標に適用して、階段利用対象者の視認性を確保可能か否かの閾値となる段鼻面４０の空間周波数とコントラスト感度（コントラストの逆数）との組み合わせを求める段鼻面用演算手段４１ｃと、段鼻面用演算手段４１ｃによって求められた閾値を基準にして、階段利用対象者の視認性を確保可能な段鼻面４０の幅Ｌ２と反射率との組み合わせか否かを評価する段鼻面用評価手段４１ｄと、を備えている。
【０１２４】
本実施形態に係る階段構造１Ｂは、段差意匠設計支援装置２０Ｂによって規定された段差識別ライン１５の幅Ｌ１と反射率との組み合わせの中から、組合せ選択手段２６ｅで最終的に受け付けられた踏み面Ｆの色及び段差識別ライン１５の幅Ｌ１と色（反射率）とに基づいて特定される段差識別ライン１５を備えている。
【０１２５】
次に、本実施形態に係る段差意匠設計支援装置２０Ｂを用いた段差意匠設計支援方法について説明する。図１７は、本実施形態に係る段差意匠設計支援装置２０Ｂの動作手順を示すフローチャートである。
【０１２６】
図１７に示されるように、段差意匠設計支援装置２０Ｂは、第1実施形態に係る段差意匠設計支援装置２０Ａでの動作処理と同様にステップＳ２１〜ステップＳ３３までの各処理を実行する。この各処理は、前述のステップＳ１〜ステップＳ１３までの各処理と同様であるため、詳細説明を省略する。
【０１２７】
ステップＳ３３において、段差識別ライン１５の幅Ｌ１と反射率との組み合わせの評価結果を示す一覧表Ｔを表示した後、操作受付手段２６の組合せ選択手段２６ｅは、入力装置２２を介して入力された段差識別ライン１５の幅Ｌ１及び反射率の選択組み合わせに係る情報を受け付け、さらに、情報認識設定手段２７の組合せ認識手段２７ｆは、組合せ選択手段で受け付けられた情報に基づいて、段差識別ライン１５の幅Ｌ１と反射率との組み合わせを認識する（ステップＳ３４）。
【０１２８】
次に、段鼻規定手段４１の段鼻面用関数特定手段４１ａが機能し、段鼻面用コントラスト感度関数を特定する。段鼻面用関数特定手段４１ａは、事前情報特定手段２８によって特定された事前情報及び視認性認識手段２７ｅによって認識された視認性情報（種別）に基づいて、記憶装置２５Ｂの段鼻面用コントラスト感度関数データベース２５ｆを参照し、一の段鼻面用コントラスト感度関数を特定する（ステップＳ３５）。
【０１２９】
次に、段鼻用座標設定手段４１ｂは、想定される段鼻面４０の幅をパラメータとして規定される空間周波数と、想定される段鼻面４０の反射率をパラメータとして規定されるコントラストから導出されるコントラスト感度と、を座標軸とする段鼻面規定座標を設定する（ステップＳ３６）。
【０１３０】
次に、段鼻規定手段４１の段鼻面用演算手段４１ｃが機能し、段鼻面用座標設定手段４１ｂによって設定された段鼻面規定座標に、段鼻面用関数特定手段４１ａによって特定された段鼻面用コントラスト感度関数を適用する演算処理が実行される（ステップＳ３７）。具体的には、段鼻面規定座標上に、段鼻面用コントラスト感度関数の曲線を形成する。段鼻面規定座標上に段鼻面用コントラスト感度関数の曲線を形成することは、階段利用対象者の視認性を確保可能か否かの閾値となる空間周波数とコントラスト感度との組み合わせを求めることを意味する。
【０１３１】
次に、段鼻規定手段４１の段鼻面用評価手段４１ｄが機能し、段鼻面用演算手段４１ｃによって求められた閾値を基準にして、階段利用対象者の視認性を確保可能な段鼻面４０の幅Ｌ２と反射率との組み合わせか否かを評価する評価処理が実行される（ステップＳ３７）。
【０１３２】
段鼻面用評価手段４１ｄによる評価結果は、各種情報抽出手段３１によって抽出され、報知手段３２の出力制御手段３２ａに通知される。出力制御手段３２ａは、段鼻面４０の評価結果を一覧表として加工し、表示制御手段３２ｂを介してディスプレイ２４に表示させる（ステップＳ３８）。
【０１３３】
操作受付手段２６の組合せ選択手段２６ｅは、入力装置２２を介して入力された段鼻面４０の選択組み合わせに係る情報を受け付け、さらに、情報認識設定手段２７の組合せ認識手段２７ｆは、組合せ選択手段２６ｅで受け付けられた情報に基づいて、段鼻面４０の幅と反射率との組み合わせを認識する（ステップＳ３９）。
【０１３４】
さらに、組合せ認識手段２７ｆは、記憶装置２５Ｂに記憶された累積データベース２５ｅに、オペレータによって選択された段差識別ライン１５の幅Ｌ１と反射率との組み合わせに係る情報と、オペレータによって選択された段鼻面４０の幅Ｌ２と反射率との組み合わせに係る情報とを書き込む。この書き込み処理は、オペレータによって段差識別ライン１５の幅Ｌ１と反射率との組み合わせ及び段鼻面４０の幅Ｌ２と反射率との組み合わせの選択操作が行われ、選択操作に係る情報が操作受付手段２６で受け付けられる度に実行される。その結果として、累積データベース２５ｅには、操作受付手段２６で受け付けられた複数の選択操作に基づく複数の組み合わせが累積的に記憶される（ステップＳ３９）。
【０１３５】
次に、オペレータから処理を終了する旨の指示が入力装置２２を介して中央処理装置２１に入力された場合または所定の時間が経過した場合には、終了認識と判断して処理を終了し（ステップＳ４０）、オペレータから再処理の入力があった場合には、ステップＳ１〜ステップＳ３９の処理が実行される。
【０１３６】
第２実施形態に係る段差意匠設計支援装置２０Ｂ及び階段構造１Ｂによれば、階段構造１Ｂの意匠性の低下を抑えながら階段利用対象者による段差識別ライン１５及び段鼻面４０の視認性も確保可能な階段意匠を提案することができるようになる。
【０１３７】
特に、本実施形態では、段鼻規定手段４１で規定された組み合わせの中から段差意匠を損なわない段鼻面４０の幅Ｌ２と反射率との組み合わせを提案できるようになり、意匠性の低下を抑えながら階段利用対象者の視認性の確保も可能な階段意匠を提案することができるようになる。
（第３実施形態）
【０１３８】
次に、図１８〜図２８を参照して、本発明の第３実施形態に係る段差意匠設計支援装置について説明する。まず、図１８及び図１９を参照して、本実施形態に係る段差意匠設計支援装置によって提案を予定している階段構造について説明する。この階段構造については、第１〜第３のライン構造（抵抗形態）を想定しており、図１８は、第１のライン構造を有する階段構造の基準踏み面を中心に拡大して示す図であり、（ａ）は斜視図、（ｂ）は平面図である。また、図１９は、第１〜第３のライン構造に係る段差部を示しており、（ａ）は図１９（ｂ）のＸＩＸ−ＸＩＸ線に沿った断面図であり、（ｂ）は第２のライン構造に係る段差部であって（ａ）に対応する断面図であり、（ｃ）は第３のライン構造に係る段差部であって（ａ）に対応する断面図である。
【０１３９】
（階段構造）
図１８及び図１９に示されるように、第１〜第３のライン構造（抵抗形態）に係る段差部５０Ａを備えた階段構造（階段）１Ｃ，１Ｄ，１Ｅは、実質的に第２実施形態にて説明した階段構造１Ｂと同様であるため、階段構造１Ｃ〜１Ｅの同一の要素や構造については、上述の階段構造１Ｂと同一の符号を付して詳細説明は省略する。
【０１４０】
階段構造１Ｃ，１Ｄ，１Ｅの段差部５０Ａは、上り下りする人間が脚を載せる踏み面Ｆを有する踏み板部５１と、上下の踏み板部５１を連結する蹴込み板部１３とを備えて形成されており、上下の踏み板部５１間の高低差が段差となる。踏み板部５１は、木製である。また、本実施形態では、複数の踏み面Ｆを有する階段構造１Ｃ〜１Ｅを想定しているため、複数の踏み面Ｆのいずれか一つが基準踏み面Ｆａとなるが、踏み面Ｆが単一の形態の場合には、その踏み面Ｆが基準踏み面Ｆａとなる。
【０１４１】
踏み面Ｆには、踏み面Ｆの長さ方向Ｄ１に沿って延在する段差識別ライン５３Ａ，５３Ｂ，５３Ｃが形成されている。段差識別ライン５３Ａ，５３Ｂ，５３Ｃは、踏み板部５１と蹴込み板部１３とが当接して形成される段鼻形成領域のうち、踏み面Ｆの前縁（段鼻）Ｆ１よりも内側に入り込んだ位置に形成されており、段差識別ライン５３Ａ，５３Ｂ，５３Ｃと前縁Ｆ１との間が段鼻面４０となっている。
【０１４２】
第１のライン構造（抵抗形態）に係る段差識別ライン５３Ａ（図１９（ａ）参照）は、踏み板部５１に直線状の溝を掘り、その溝にゴム材を嵌め込むことによって形成されている。踏み板部５１の表面には仕上げ処理が施されており、段差識別ライン５３Ａの上端面の摩擦抵抗は、踏み板部５１の表面の摩擦抵抗に比べて大きくなっている。その結果として、階段構造１Ｄに係る段差識別ライン５３Ａの摩擦抵抗は、段差識別ライン５３Ａを除く踏み面Ｆの摩擦抵抗とは異なる形態になっている。
【０１４３】
また、図１９（ｂ）に示されるように、第２のライン構造（抵抗形態）に係る段差識別ライン５３Ｂは、踏み板部５１に直線状の溝を掘り、その溝に踏み板部５１とは異なる木材を嵌め込むことによって形成されている。段差識別ライン５３Ｂの上端面の摩擦抵抗は、踏み板部５１の表面の摩擦抵抗に比べて大きくなっている。その結果として、階段構造１Ｄに係る段差識別ライン５３Ｂの摩擦抵抗は、段差識別ライン５３Ｂを除く踏み面Ｆの摩擦抵抗とは異なる形態になっている。
【０１４４】
また、図１９（ｃ）に示されるように、第３のライン構造（抵抗形態）に係る段差識別ライン５３Ｃは、踏み板部５１に直線状の溝を掘って形成されており、その溝には何も嵌め込まれていない。踏み板部５１に形成された溝によって摩擦抵抗が働き、段差識別ライン５３Ｃでの摩擦抵抗は、段差識別ライン５３Ｃを除く踏み面Ｆの摩擦抵抗に比べて大きくなっている。その結果として、階段構造１Ｅに係る段差識別ライン５３Ｃの摩擦抵抗は、段差識別ライン５３Ｃを除く踏み面Ｆの摩擦抵抗とは異なる形態になっている。
【０１４５】
なお、本実施形態に係る段差識別ライン５３Ａ〜５３Ｃでは、三種類の異なるライン構造（抵抗形態）を説明したが、段差識別ラインの形態は、この三種類に限定されるものではなく、段差識別ラインが形成されていない状態での踏み面Ｆの摩擦抵抗に比べて、段差識別ラインを形成することによって踏み面Ｆ全体の摩擦抵抗が変化するような形態であればよい。従って、例えば、フラットな踏み板部の表面に、踏み板部の表面よりも摩擦抵抗の大きなシール部材を貼り付けるようにして形成したり、また、踏み板部の表面に凸状のラインを形成して摩擦抵抗が働くように形成したりしてもよい。
（段差意匠設計支援装置）
【０１４６】
本実施形態に係る段差意匠設計支援装置２０Ｃは、第１実施形態に係る段差意匠設計支援装置２０Ａと同様に基準踏み面Ｆａとの対比において段差識別ライン５３Ａ〜５３Ｃの幅Ｌ１と反射率との組み合わせを規定し、さらに、階段利用対象者の歩行感に基づいて段差識別ライン５３Ａ〜５３Ｃの幅Ｌ１と反射率との組み合わせを絞り込む。すなわち、本実施形態に係る段差意匠設計支援装置２０Ｃは、第１実施形態に係る段差意匠設計支援装置２０Ａと同様の動作処理を実行した上で、さらに、階段利用対象者の歩行感に基づいて段差識別ライン５３Ａ〜５３Ｃの幅Ｌ１と反射率との組み合わせを絞り込むための動作処理を実行するものであり、実質的に第１実施形態に係る段差意匠設計支援装置２０Ａと同様の機能的構成を備えている。従って、第１実施形態と同様の機能的構成については、詳細な説明は省略し、相違点を中心に説明する。
【０１４７】
図２０に示されるように、段差意匠設計支援装置２０Ｃは、入力装置２２、中央処理装置２１、ディスプレイ２４及び記憶装置２５Ｃを備えている。
【０１４８】
図２１に示されるように、記憶装置２５Ｃには、事前情報データベース２５ａ、カラー情報データベース２５ｂ、特定輝度情報データベース２５ｃ、コントラスト感度関数データベース２５ｄ、累積データベース２５ｅが記憶され、さらに、事前情報データベース２５ａに関連付けられて邸別データベース２５ｈ及び商品データベース２５ｉが記憶されている。
【０１４９】
また、記憶装置２５Ｃには、すべり抵抗係数と段差歩行評価（歩行感）との相関関係を示すデータを階段利用対象者の被覆状態に応じて格納する有効すべり抵抗係数データベース（有効すべり抵抗係数格納手段）２５ｊが記憶されている。すべり抵抗係数については、例えば、以下の文献に記載されている。
【０１５０】
（１）小野英哲 他、 床材料の表面粗さとすべりの関係についての基礎的研究、日本建築学会構造系論文集、第459号、21―29、1994年、5月
（２）JIS A 1454 ：高分子系張り床材試験方法
【０１５１】
また、階段利用対象者の段差歩行評価（歩行感）とは、例えば、階段利用対象者が歩行する際の歩き易さなどを定量的に示すものであり、以下の文献などに記載されている。
【０１５２】
（１）後藤和昌 他、 理想的な歩行者空間の研究、日本建築学会大会学術講演梗概集、107―108、1992年、８月
（２）阪東美智子、住宅床のすべりと歩行感に関する研究、日本建築学会大会学術講演梗概集、827―828、1999年、９月
【０１５３】
階段利用対象者の被覆状態とは、例えば、スリッパ履き、靴下履き、または裸足等であるが、本実施形態ではスリッパ履きの被覆状態を想定している。スリッパは、室内で簡単に履けるような利便性を重視した履き物であり、脱げやすく、また、すべり易いという特徴を有するため、スリッパ履きで踏み面Ｆを歩行する階段利用対象者の歩行感は、素足などの場合に比べて悪くなってしまう。そこで、スリッパ履きの階段利用対象者の歩行感を基準にして踏み面Ｆの有効すべり抵抗係数の範囲を特定するようにすれば、その他の態様、例えば、素足の場合や靴下を履いたような場合でも充分に良好な歩行感を確保することができる。従って、本実施形態では、階段利用対象者の被覆状態としてスリッパ履きを想定している。
【０１５４】
また、記憶装置２５Ｃには、段差識別ライン５３Ａ〜５３Ｃの各ライン構造に応じて第１、第２及び第３のすべり抵抗関数を格納するすべり抵抗関数データベース（すべり抵抗関数格納手段）２５ｋが記憶されている（図２２参照）。
【０１５５】
すべり抵抗関数は、段差識別ライン５３Ａ〜５３Ｃの幅Ｌ１とすべり抵抗係数変化量との相関関係を示す関数である。踏み板部５１に段差識別ライン５３Ａ〜５３Ｃを形成した場合、その踏み面Ｆのすべり抵抗係数は、段差識別ライン５３Ａ〜５３Ｃを形成しない場合の踏み面のすべり抵抗係数に比べて変化する。この変化量がすべり抵抗係数変化量であり、踏み面Ｆ全体での総すべり抵抗係数を算出するための数値となる。さらに、すべり抵抗係数変化量は、踏み板部５１の材質や形態に変更がなければ、基本的に段差識別ライン５３Ａ〜５３Ｃの材質や太さなどに起因して変化するものであり、本実施形態では、段差識別ライン５３Ａ〜５３Ｃのすべり抵抗係数と同義である。なお、図２６は、段差識別ライン５３Ａ〜５３Ｃそれぞれのすべり抵抗関数を導出するために、各測定データをプロットしたグラフである。
【０１５６】
図２０に示されるように、中央処理装置２１は、操作受付手段２６、情報認識設定手段２７、事前情報特定手段２８、輝度規定手段２９、ライン規定手段３０、各種情報抽出手段３１及び報知手段３２を備えている。さらに本実施形態に係る中央処理装置２１は、ライン仕様特定手段５５及び絞り込み手段５７を備えている。
【０１５７】
ライン仕様特定手段５５は、踏み面Ｆを歩行する階段利用対象者の歩行感に基づいて踏み面Ｆの有効すべり抵抗係数の範囲を特定する有効すべり抵抗係数規定手段５５ａを備えている。
【０１５８】
本願の発明者は、階段利用対象者が踏み面Ｆを踏み込む際の踏み面Ｆのすべり抵抗係数が歩行者の歩行感に影響を及ぼしており、実際に踏み面Ｆに接触することとなるスリッパや靴下等の被覆状態（踏込み態様）との関係から、最適すべり抵抗係数をピークとした一定幅のすべり抵抗係数以下であっても以上であっても良好な歩行感を得難いことを知見している。この一定幅のすべり抵抗係数の範囲が有効すべり抵抗係数の範囲Ｒ（図２７参照）である。
【０１５９】
また、ライン仕様特定手段５５は、すべり抵抗係数算出手段５５ｂを備えている。例えば、段差識別ライン５３Ａの場合、すべり抵抗係数算出手段５５ｂは、段差識別ライン５３Ａを除く踏み面Ｆのすべり抵抗係数と段差識別ライン５３Ａのすべり抵抗係数との和により示される踏み面Ｆの総すべり抵抗係数を割り出す。次に、すべり抵抗係数算出手段５５ｂは、この総すべり抵抗係数と抵抗係数規定手段５５ａによって規定された有効すべり抵抗係数の範囲Ｒとを比較して、総すべり抵抗係数が有効すべり抵抗係数の範囲Ｒ内に収まるように段差識別ライン５３Ａのすべり抵抗係数の範囲を算出する。同様に、例えば、段差識別ライン５３Ｂの場合には、ライン仕様特定手段５５は、総すべり抵抗係数が有効すべり抵抗係数の範囲Ｒ内に収まるように段差識別ライン５３Ｂのすべり抵抗係数の範囲を算出し、段差識別ライン５３Ｃの場合には、総すべり抵抗係数が有効すべり抵抗係数の範囲Ｒ内に収まるように段差識別ライン５３Ｃのすべり抵抗係数の範囲を算出する。
【０１６０】
また、ライン仕様特定手段５５は、ライン幅導出手段５５ｃを備えている。例えば、段差識別ライン５３Ａの場合、ライン幅導出手段５５ｃは、すべり抵抗係数算出手段５５ｂによって算出されたすべり抵抗係数の範囲に基づいて、段差識別ライン５３Ａの仕様としての段差識別ライン５３Ａの幅Ｌ１の範囲を導出する。同様に、段差識別ライン５３Ｂの場合、ライン幅導出手段５５ｃは、段差識別ライン５３Ｂの仕様としての段差識別ライン５３Ｂの幅Ｌ１の範囲を導出し、段差識別ライン５３Ｃの仕様としての段差識別ライン５３Ｃの幅Ｌ１の範囲を導出する。
【０１６１】
以上の段差意匠設計支援装置２０Ｃによって絞り込まれた段差識別ライン５３Ａ〜５３Ｃの幅Ｌ１と反射率との組み合わせの中から、組合せ選択手段２６ｅ（図３参照）で最終的に受け付けられた踏み面Ｆの色及び段差識別ライン１５の幅Ｌ１と色（反射率）とに基づいて段差識別ライン５３Ａ〜５３Ｃは特定される。本実施形態に係る階段構造１Ｃ，１Ｄ，１Ｅは、最終的に特定された段差識別ライン５３Ａ〜５３Ｃを備えている。
【０１６２】
次に、本実施形態に係る段差意匠設計支援装置２０Ｃを用いた段差意匠設計支援方法について説明する。図２３は、本実施形態に係る段差意匠設計支援装置２０Ｃの動作手順を示すフローチャートである。なお、以下の説明では、第１のライン構造である段差識別ライン５３Ａを選択していることを前提に説明する。
【０１６３】
図２３に示されるように、段差意匠設計支援装置２０Ｃは、第1実施形態に係る段差意匠設計支援装置２０Ａでの動作処理と同様にステップＳ４１〜ステップＳ５３までの各処理を実行する。この各処理は、前述のステップＳ１〜ステップＳ１３までの各処理と同様であるため、詳細説明を省略する。
【０１６４】
ステップＳ５３において、段差識別ライン５３Ａの幅Ｌ１と反射率との組み合わせの評価結果を示す一覧表Ｔを表示した後、段差意匠設計支援装置２０Ｃは、ライン仕様特定処理を実行する（ステップＳ５４）。
【０１６５】
ライン仕様特定処理の手順について、図２４を参照して説明する。ライン仕様特定処理を開始すると、操作受付手段２６が受圧手段関連情報の受け付けを行う（ステップＳ６１）。受圧手段関連情報とは、踏み板部５１の材質、踏み面Ｆを歩行する階段利用対象者の被覆状態及び段差識別ライン５３Ａ〜５３Ｃのライン構造などの情報である。踏み板部５１の材質とは、例えば、使用する木材の種類などである。また、踏み面Ｆを歩行する階段利用対象者の被覆状態（踏込み態様）とは、例えば、スリッパ履き、靴下履き、または裸足等である。
【０１６６】
操作受付手段２６において受け付けられた受圧手段関連情報は、有効すべり抵抗係数規定手段５５ａに入力される。有効すべり抵抗係数規定手段５５ａでは、受圧手段関連情報を受け付けると有効すべり抵抗係数規定処理が行われる（ステップＳ６２）。有効すべり抵抗係数規定処理において有効すべり抵抗係数規定手段５５ａは、記憶装置２５Ｃの有効すべり抵抗係数データベース２５ｊを参照し、有効すべり抵抗係数の範囲Ｒを特定する。有効すべり抵抗係数の範囲Ｒの特定について図２７を参照して具体的に説明する。図２７は、スリッパ履きの場合におけるすべり抵抗係数と段差歩行評価（歩行感）との相関関係を示すデータをプロットしたグラフである。
【０１６７】
段差歩行評価（歩行感）は、数値が高いほど良好であることを示している。図２７に示されるように、スリッパ履きの場合には、すべり抵抗係数が“０．４”の場合に、段差歩行評価が“５．８”程度のピークに（最も高く）なっている。有効すべり抵抗係数の範囲Ｒとは、段差歩行評価がピークとなる抵抗係数“０．４”を中心にして、例えば、段差歩行評価（歩行感）が４．５以上となる一定の範囲であり、本実施形態に係る有効すべり抵抗係数の範囲Ｒは、“０．３４”〜“０．４６”として特定される。
【０１６８】
有効すべり抵抗係数規定処理が終了すると、すべり抵抗係数算出手段５５ｂによって要求すべり抵抗係数算出処理が行われる（ステップＳ６２）。要求すべり抵抗係数算出処理において、すべり抵抗係数算出手段５５ｂは、踏み面Ｆの総すべり抵抗係数を割り出し、さらに、有効すべり抵抗係数の範囲Ｒを参照してすべり抵抗係数変化量の範囲を算出する。すべり抵抗係数変化量の範囲の算出について、図２６及び図２７を参照して具体的に説明する。なお、本実施形態では、第１のライン構造である段差識別ライン５３Ａを想定しており、すべり抵抗係数変化量の範囲とは、段差識別ライン５３Ａのすべり抵係数の範囲に相当する。
【０１６９】
段差識別ライン５３Ａを除く踏み面Ｆのすべり抵抗係数は、踏み板部５１の材質によって決まり、そのデータは記憶装置２５Ｃに予め記憶されていてもよいし、受圧手段関連情報として入力されるものであってもよい。本実施形態では、受圧手段関連情報として入力されることを想定しており、その値は、例えば、“０．３４”である。なお、すべり抵抗係数（Ｃ．Ｓ．Ｒ値）は、ＪＩＳ(JIS A 1454)に基づき、例えば、すべり試験機「ＯＹ−ＰＳＭ」（図２５参照）を用いて評価できる。
【０１７０】
すべり抵抗係数算出手段５５ｂは、段差識別ライン５３Ａを除く踏み面Ｆのすべり抵抗係数を取得すると、記憶装置２５Ｃのすべり抵抗関数データベース２５ｋを参照して第１のライン構造に係るすべり抵抗関数を抽出する。ここで、すべり抵抗係数算出手段５５ｂは、抽出したすべり抵抗関数に基づくすべり抵抗係数変化量と上述の踏み面Ｆのすべり抵抗係数“０．３４”との和を総すべり抵抗係数として求め、さらに、総すべり抵抗係数が有効すべり抵抗係数の範囲Ｒ内に収まるようなすべり抵抗係数変化量の範囲を算出する。本実施形態では、すべり抵抗係数“０．３４”は、有効すべり抵抗係数の範囲の境界値であり、既に有効すべり抵抗係数の範囲に含まれているため、すべり抵抗係数変化量の範囲は“０”〜“０．１２”となる。しかしながら、本実施形態では、総すべり抵抗係数を最適なすべり抵抗係数“０．４”に一致させるために、最適なすべり抵抗係数変化量の範囲として最適値“０．０６”を算出する。
【０１７１】
要求すべり抵抗係数算出処理が終了すると、ライン幅導出手段５５ｃによってライン幅導出処理（ステップＳ６４）が行われる。ライン幅導出処理においてライン幅導出手段５５ｃは、すべり抵抗係数算出手段５５ｂによって算出されたすべり抵抗係数変化量の範囲（最適値“０．０６”）を取得する。さらに、ライン幅導出手段５５ｃは、記憶装置２５Ｃのすべり抵抗関数データベース２５ｋを参照して第１のライン構造に係るすべり抵抗関数を取得する。次に、ライン幅導出手段５５ｃは、取得した両データに基づいて段差識別ライン５３Ａの幅Ｌ１の範囲を導出する。本実施形態では、図２６に示されるように、変化量“０．０６”に対応する幅Ｌ１の値は“２．３ｍｍ”であり、ライン幅導出手段５５ｃは、段差識別ライン５３Ａの幅Ｌ１の範囲（最適値）として“２．３ｍｍ”を導出する。ライン幅導出処理が終了すると、ライン仕様特定処理が終了する。
【０１７２】
図２３に示されるように、ライン仕様特定処理が終了すると絞り込み手段５７によって絞り込みが行われる（ステップＳ５５）。ここで、絞り込み手段５７は、ライン仕様特定手段５５によって特定された段差識別ライン５３Ａの仕様、具体的には、段差識別ライン５３Ａの幅Ｌ１に基づいて、ライン規定手段３０によって規定された段差識別ラインの幅Ｌ１と反射率と組み合わせを絞り込む。この絞り込みについて図２８を参照して説明する。
【０１７３】
図２８は、縦軸にコントラスト感度をとり、横軸に空間周波数に代えて段差識別ラインの幅をとった座標において、若齢者のコントラスト感度関数を適用した状態を表現した図であり、階段利用対象者が若年層であり、基準踏み面Ｆａの輝度が0.045cd／ｍ２と近似できる場合を示している。前述のライン仕様特定処理において、段差識別ライン５３Ａの幅Ｌ１としては“２．３ｍｍ”が特定されているため、絞り込み手段５７は、図２８に示されるデータを参照して、段差識別ライン５３Ａの幅Ｌ１は“２．３ｍｍ”、視認性の高いコントラスト感度は0.04となるように、段差識別ラインの幅Ｌ１と反射率と組み合わせを絞り込む。次に、出力制御手段３２ａは、絞り込みの結果を一覧表として加工し、表示制御手段３２ｂを介してディスプレイ２４に表示させる。
【０１７４】
図２３に示されるように、絞り込み（ステップＳ５５）が終了すると、選択・累積処理（ステップS５６）が実行される。ステップＳ５６の処理は、前述のステップＳ１４での処理と実質的に同様であるため、詳細な説明は省略する。選択・累積処理が終了すると、オペレータから処理を終了する旨の指示が入力装置２３を介して中央処理装置２１に入力された場合または所定の時間が経過した場合には、終了認識と判断して処理を終了し（ステップＳ５７）、オペレータから再処理の入力があった場合には、ステップＳ４１〜ステップＳ５６の処理が実行される。
【０１７５】
本実施形態に係る段差意匠設計支援装置２０Ｃは、第２の実施形態に係る段差意匠設計支援装置２０Ｂと同様の作用、効果を奏するのに加えて、更に、特有の作用、効果を奏する。この作用、効果について説明する。
【０１７６】
上述の第１及び第２実施形態に係る段差識別ライン１５の幅Ｌ１と反射率との組み合わせにおいては、場合によってはきわめて多数の幅Ｌ１と反射率との組み合わせが規定されてしまうことがあり、それらの組み合わせの中から一の段差識別ライン１５の幅と反射率との組み合わせをオペレータが選択して決定することが困難になる場合もある。一方で、本願発明者は、段差部５０Ａの安全な昇降には、階段利用対象者が段差部５０Ａをしっかりと認識できる必要があることはもちろん、階段利用対象者がその段差部５０Ａを歩行する際の歩行感を高めることも重要であることを知見している。そして、本願発明者は、この知見に基づき、視認性の観点から得られる段差識別ライン５３Ａ〜５３Ｃの幅Ｌ１と反射率との組み合わせに対して、歩行性の観点から得られる段差識別ライン５３Ａ〜５３Ｃの仕様を反映させることにより、上記のオペレータによる選択・決定を容易にできると考え、本実施形態に係る段差意匠設定支援装置２０Ｃを導出した。すなわち、本実施形態では、歩行性の観点から段差識別ライン５３Ａ〜５３Ｃの仕様を規定できるので、ライン規定手段３０によって規定された段差識別ライン５３Ａ〜５３Ｃの幅Ｌ１と反射率との組み合わせを歩行性の観点からさらに絞り込むことができ、オペレータが選択して決定することが容易となり、従って、階段利用対象者にとって、より好適な歩行感を得ることができる階段構造１Ｃ〜１Ｅを提案することが可能となる。
【０１７７】
また、踏み面Ｆのうち、段差識別ライン５３Ａ〜５３Ｃ以外の踏み面Ｆのすべり抵抗係数は、踏み面Ｆの仕様に深く関わっており、単に歩行感を得るという目的のみのために変更することができない。一方で、段差識別ライン５３Ａ〜５３Ｃのすべり抵抗係数は、段差識別ライン５３Ａ〜５３Ｃの形成方法、形成素材、幅等により適宜変更することが可能である。そして、本願発明者は、踏み面Ｆの総すべり抵抗係数は、段差識別ライン５３Ａ〜５３Ｃ以外の踏み面Ｆのすべり抵抗係数と段差識別ライン５３Ａ〜５３Ｃのすべり抵抗係数との和によって導出できることに着目し、段差識別ライン５３Ａ〜５３Ｃのすべり抵抗係数を調整することで、階段利用対象者にとって良好な歩行感となる踏み面Ｆのすべり抵抗係数を実現できると考え、本実施形態に係る段差意匠設計支援装置２０Ｃに想到した。
【０１７８】
すなわち、本実施形態では、階段利用対象者の良好な歩行感を得るために必要な有効すべり抵抗係数の範囲Ｒを特定し、さらに、総すべり抵抗係数が有効すべり抵抗係数の範囲Ｒ内に収まるように段差識別ライン５３Ａ〜５３Ｃのすべり抵抗係数の範囲（最適値）を算出する。さらに、算出されたすべり抵抗係数の範囲（最適値）に基づいて、段差識別ラインの仕様としての段差識別ライン５３Ａ〜５３Ｃの幅Ｌ１の範囲を導出する。その結果として、段差識別ライン５３Ａ〜５３Ｃの仕様を段差識別ライン５３Ａ〜５３Ｃの幅Ｌ１の範囲としてある程度特定することができ、その仕様を形成するための諸条件を上記の段差識別ライン５３Ａ〜５３Ｃの幅Ｌ１と反射率との組み合わせに反映することができる。従って、階段利用対象者にとっての良好な歩行感を加味して段差識別ライン５３Ａ〜５３Ｃの幅Ｌ１と反射率との組み合わせの範囲を絞り込むことが容易となる。さらに、本実施形態によれば、段差識別ライン５３Ａ〜５３Ｃのすべり抵抗係数を調整することによって、階段利用対象者にとって良好な歩行感となる踏み面Ｆを実現できるので、踏み面Ｆ全体の仕様を変更することなく良好な歩行感を得ることができる。
【０１７９】
さらに本実施形態に係る段差識別ライン５３Ａ〜５３Ｃは、段差識別ライン５３Ａ〜５３Ｃを除く踏み面Ｆの摩擦抵抗とは異なる摩擦抵抗を有するライン構造（抵抗形態）にて形成されている。このようなライン構造で段差識別ライン５３Ａ〜５３Ｃを形成した場合、各ライン構造及び段差識別ライン５３Ａ〜５３Ｃの幅Ｌ１によって段差識別ライン５３Ａ〜５３Ｃのすべり抵抗係数が変化することを本願発明者は知見している。本実施形態では、段差識別ライン５３Ａ〜５３Ｃの幅Ｌ１に基づいてすべり抵抗係数が特定されるすべり抵抗関数をライン構造ごとに予め格納しており、段差識別ライン５３Ａ〜５３Ｃのライン構造に応じたすべり抵抗関数を抽出し、抽出したすべり抵抗関数と、すべり抵抗係数算出手段５５ｂにより算出されたすべり抵抗係数の範囲（最適値）とに基づいて段差識別ライン５３Ａ〜５３Ｃの幅Ｌ１の範囲を導出するので、踏み面Ｆの総すべり抵抗係数を良好なのとするための段差識別ライン５３Ａ〜５３Ｃのすべり抵抗係数を特定するための処理負担が軽減され、段差識別ライン５３Ａ〜５３Ｃの幅Ｌ１を容易に規定することができる。
（プログラムについて）
【０１８０】
上述の第１、第２または第３実施形態に係る段差意匠設計支援装置２０Ａ，２０Ｂ，２０Ｃには、中央処理装置２１のメモリに本実施形態に係るカラーコーディネートプログラムが格納されており、段差意匠設計支援装置２０Ａ，２０Ｂ，２０Ｃは、カラーコーディネートプログラムに従って動作処理して上述の各ステップに係る動作処理を実行する。また、このカラーコーディネートプログラムを記録媒体に格納させ、パーソナルコンピュータ等の情報処理装置に読み込ませることにより、情報処理装置に上述の第１、第２または第３実施形態に係る段差意匠設計支援装置の動作手順に係る各ステップを実行させることも可能である。
【０１８１】
以上、本発明をその実施形態に基づき具体的に説明したが、本発明は、上記実施形態に限定されるものではない。例えば、階段利用対象者を種別ごとに分類分けせず、一般的なコントラスト感度関数を、階段利用対象者の視覚特性に基づくコントラスト感度関数として取得しておき、このコントラスト感度関数を全ての対象者に適用して段差識別ラインの幅や反射率または段鼻面の幅や反射率を規定するようにしてもよい。
また、光源と踏み面とを結ぶ直線上に障害物が存在する場合等を仮定し、当該障害物の存在により最も照度が低くなる踏み面を解析手段等により判断させ、当該踏み面を基準踏み面として設定する構成を採用することも可能である。
【符号の説明】
【０１８２】
１Ａ，１Ｂ，１Ｃ，１Ｄ，１Ｅ…階段構造（階段）、５…照明装置（光源）、１５，５３Ａ，５３Ｂ，５３Ｃ…段差識別ライン、２０Ａ，２０Ｂ，２０Ｃ…段差意匠設計支援装置、２５ｅ…累積データベース（選択組み合わせ記憶手段）、２５ｆ…段鼻面用コントラスト感度関数記憶手段（段鼻用コントラスト感度関数記憶手段）、２５ｋ…すべり抵抗関数データベース（すべり抵抗関数格納手段）、２６ｅ…組合せ選択手段（選択操作受付手段）、２９…輝度規定手段、２９ａ…照度算定手段、２９ｂ…輝度算定手段、２９ｃ…特定輝度規定手段、３０…ライン規定手段、３０ａ…関数特定手段、３０ｂ…座標設定手段、３０ｃ…演算手段、３０ｄ…評価手段、３２…報知手段（組み合わせ報知手段、累積組み合わせ報知手段）、４１…段鼻規定手段、４１ａ…段鼻面用関数特定手段、４１ｃ…段鼻面用演算手段、４１ｄ…段鼻面用評価手段、５５…ライン仕様特定手段、５５ａ…有効すべり抵抗係数規定手段、５５ｂ…すべり抵抗係数算出手段、５５ｃ…ライン幅導出手段、５７…絞込み手段、Ａ−１〜Ａ−３…コントラスト感度関数（若齢者）、Ｂ−１〜Ｂ−３…コントラスト感度関数（老齢者）、Ｆ…踏み面、Ｆａ…基準踏み面、Ｌ１…段差識別ラインの幅、段鼻面の幅…Ｌ２。
【図１】
2010203222.tif 000012
【図２】
2010203222.tif 000013
【図３】
2010203222.tif 000014
【図４】
2010203222.tif 000015
【図５】
2010203222.tif 000016
【図６】
2010203222.tif 000017
【図７】
2010203222.tif 000018
【図８】
2010203222.tif 000019
【図９】
2010203222.tif 000020
【図１０】
2010203222.tif 000021
【図１１】
2010203222.tif 000022
【図１２】
2010203222.tif 000023
【図１３】
2010203222.tif 000024
【図１４】
2010203222.tif 000025
【図１５】
2010203222.tif 000026
【図１６】
2010203222.tif 000027
【図１７】
2010203222.tif 000028
【図１８】
2010203222.tif 000029
【図１９】
2010203222.tif 000030
【図２０】
2010203222.tif 000031
【図２１】
2010203222.tif 000032
【図２２】
2010203222.tif 000033
【図２３】
2010203222.tif 000034
【図２４】
2010203222.tif 000035
【図２５】
2010203222.tif 000036
【図２６】
2010203222.tif 000037
【図２７】
2010203222.tif 000038
【図２８】
2010203222.tif 000039